(57)【要約】【課題】機動性に優れると共に、収差が良好に補正された単焦点距離レンズ系及びそれを備えた撮像装置を提供すること。【解決手段】単焦点距離レンズ系は、光軸に沿って物体側から像側に順に、前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まない。【選択図】図１
2015108811.tif 000002
【特許請求の範囲】
【請求項１】
光軸に沿って物体側から像側に順に、
前側レンズ群と、開口絞りを含む後側レンズ群と、を有し、
前記光軸上に他のレンズ群を含まず、
前記後側レンズ群は、負屈折力の合焦レンズ群を有し、
前記合焦レンズ群は、前記開口絞りよりも像側に配置され、且つ無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記後側レンズ群は、正屈折力の像側レンズ群を有し、
前記像側レンズ群は、前記合焦レンズ群よりも像側に配置され、且つ少なくとも正レンズと負レンズとを有し、
以下の条件式（１）を満足することを特徴とする単焦点距離レンズ系。
０．０６＜｜ｆfo／ｆ｜＜０．４      （１）
ただし、
ｆは、無限遠物体合焦時における前記単焦点距離レンズ系の焦点距離、
ｆfoは、前記合焦レンズ群の焦点距離、
である。
【請求項２】
光軸に沿って物体側から像側に順に、
正屈折力の前側レンズ群と、開口絞りを含む後側レンズ群と、を有し、
前記光軸上に他のレンズ群を含まず、
前記後側レンズ群は、負屈折力の合焦レンズ群を有し、
前記合焦レンズ群は、前記開口絞りよりも像側に配置され、且つ無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
以下の条件式（１）を満足し、
前記後側レンズ群は、正屈折力の像側レンズ群を有し、
前記像側レンズ群は、前記合焦レンズ群の像側に配置され、
前記像側レンズ群は、以下の条件式（３）を満足することを特徴とする単焦点距離レンズ系。
０．０６＜｜ｆfo／ｆ｜＜０．４      （１）
０．０７＜ｆR2／ｆ＜０．７      （３）
ただし、
ｆfoは、前記合焦レンズ群の焦点距離、
ｆは、無限遠物体合焦時における前記単焦点距離レンズ系の焦点距離、
ｆR2は、前記像側レンズ群の焦点距離、
である。
【請求項３】
光軸に沿って物体側から像側に順に、
正屈折力の前側レンズ群と、開口絞りを含む後側レンズ群と、を有し、
前記光軸上に他のレンズ群を含まず、
前記後側レンズ群は、負屈折力の合焦レンズ群を有し、
前記合焦レンズ群は、前記開口絞りよりも像側に配置され、且つ無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記前側レンズ群は、物体側から像側に順に、正屈折力の第１レンズ群と、正レンズと負レンズを含む負屈折力の第２レンズ群と、を有し、
以下の条件式（２）を満足することを特徴とする単焦点距離レンズ系。
−２．０＜ｆG2／ｆ＜−０．０８      （２）
ただし、
ｆは、無限遠物体合焦時における前記単焦点距離レンズ系の焦点距離、
ｆG2は、前記第２レンズ群の焦点距離、
である。
【請求項４】
前記前側レンズ群は全体で正屈折力を有することを特徴とする請求項１から３の何れか一項に記載の単焦点距離レンズ系。
【請求項５】
前記前側レンズ群は前記開口絞りの直前に配置されていることを特徴とする請求項１から４の何れか一項に記載の単焦点距離レンズ系。
【請求項６】
前記像側レンズ群は、以下の条件式（３）を満足することを特徴とする請求項１から５の何れか一項に記載の単焦点距離レンズ系。
０．０７＜ｆR2／ｆ＜０．７      （３）
ただし、
ｆR2は、前記像側レンズ群の焦点距離、
ｆは、無限遠物体合焦時における前記単焦点距離レンズ系の焦点距離、
である。
【請求項７】
前記後側レンズ群は、正屈折力の像側レンズ群を有し、
前記像側レンズ群は、前記合焦レンズ群よりも像側に配置され、且つ少なくとも正レンズと負レンズとを有することを特徴とする請求項１から６の何れか一項に記載の単焦点距離レンズ系。
【請求項８】
前記像側レンズ群は、前記合焦レンズ群の像側の直後に配置されていることを特徴とする請求項１から７の何れか一項に記載の単焦点距離レンズ系。
【請求項９】
前記前側レンズ群が以下の条件式（４）を満足する正レンズを有することを特徴とする請求項１から８の何れか一項に記載の単焦点距離レンズ系。
８０＜νｄFp＜９８      （４）
ただし、
νｄFpは、前記前側レンズ群中の何れかの正レンズのアッベ数、
である。
【請求項１０】
以下の条件式（５）を満足することを特徴とする請求項１から９の何れか一項に記載の単焦点距離レンズ系。
１．５＜ｆG2／ｆfo＜６．０      （５）
ただし、
ｆG2は、前記第２レンズ群の焦点距離、
ｆfoは、前記合焦レンズ群の焦点距離、
である。
【請求項１１】
以下の条件式（１）を満足することを特徴とする請求項１から１０の何れか一項に記載の単焦点距離レンズ系。
０．０６＜｜ｆfo／ｆ｜＜０．４      （１）
ただし、
ｆfoは、前記合焦レンズ群の焦点距離、
ｆは、無限遠物体合焦時における前記単焦点距離レンズ系の焦点距離、
である。
【請求項１２】
前記前側レンズ群は、物体側から像側に順に、正屈折力の第１レンズ群と、負屈折力の第２レンズ群と、を有し、
以下の条件式（７）を満足することを特徴とする請求項１から１１の何れか一項に記載の単焦点距離レンズ系。
０．３１＜｜ｆG1／ｆG2｜＜３．０      （７）
ただし、
ｆG1は、前記第１レンズ群の焦点距離、
ｆG2は、前記第２レンズ群の焦点距離、
である。
【請求項１３】
前記第２レンズ群は、正レンズと負レンズとを含むことを特徴とする請求項１２に記載の単焦点距離レンズ系。
【請求項１４】
以下の条件式（２）を満足することを特徴とする請求項１から１３の何れか一項に記載の単焦点距離レンズ系。
−２．０＜ｆG2／ｆ＜−０．０８      （２）
ただし、
ｆは、無限遠物体合焦時における前記単焦点距離レンズ系の焦点距離、
ｆG2は、前記第２レンズ群の焦点距離、
である。
【請求項１５】
前記合焦レンズ群は、前記開口絞りの像側の直後に配置されることを特徴とする請求項１から１４の何れか一項に記載の単焦点距離レンズ系。
【請求項１６】
前記後側レンズ群は、正屈折力の像側レンズ群を有し、
前記像側レンズ群は、前記合焦レンズ群よりも像側に配置され、且つ少なくとも正レンズと負レンズを有することを特徴とする請求項１５に記載の単焦点距離レンズ系。
【請求項１７】
前記前側レンズ群は、物体側から像側に順に、正屈折力の第１レンズ群と、負屈折力の第２レンズ群と、を有し、
前記第１レンズ群と前記第２レンズ群の各々は、正レンズと、負レンズと、を有することを特徴とする請求項１から１６の何れか一項に記載の単焦点距離レンズ系。
【請求項１８】
前記後側レンズ群は、正レンズと、負レンズと、を有することを特徴とする請求項１から１７の何れか一項に記載の単焦点距離レンズ系。
【請求項１９】
前記第１レンズ群から前記合焦レンズ群の直前までの合成レンズ群全体が正屈折力を有し、
前記合焦レンズ群が負屈折力を有し、
以下の条件式（９）を満足することを特徴とする請求項１から１８の何れか一項に記載の単焦点距離レンズ系。
−４．５＜ｆFA／ｆfo＜−１．５      （９）
ただし、
ｆFAは、前記合成レンズ群全体の焦点距離、
ｆfoは、前記合焦レンズ群の焦点距離、
である。
【請求項２０】
前記前側レンズ群が正屈折力を有し、
前記合焦レンズ群が負屈折力を有し、
以下の条件式（１０）を満足することを特徴とする請求項１から１９の何れか一項に記載の単焦点距離レンズ系。
−８．０＜ｆFF／ｆfo＜−１．８      （１０）
ただし、
ｆFFは、前記前側レンズ群の焦点距離、
ｆfoは、前記合焦レンズ群の焦点距離、
である。
【請求項２１】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群と前記第１−２副レンズ群の各々は、正屈折力を有し、
前記第１−１副レンズ群と前記第１−２副レンズ群の各々は、正レンズと、負レンズと、を有し、
以下の条件式（１１）を満足することを特徴とする請求項１から２０の何れか一項に記載の単焦点距離レンズ系。
０．３５＜ＤG1／ｆG1＜１．３      （１１）
ただし、
ＤG1は、前記第１レンズ群の最も物体側のレンズ面から最も像側のレンズ面までの光軸上での距離、
ｆG1は、前記第１レンズ群の焦点距離、
である。
【請求項２２】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群と前記第１−２副レンズ群の各々は、正屈折力を有し、
前記第１−１副レンズ群と前記第１−２副レンズ群の各々は、正レンズと、負レンズと、を有し、
以下の条件式（１２）を満足することを特徴とする請求項１から２１の何れか一項に記載の単焦点距離レンズ系。
０．１＜ＤG112／ｆG1＜０．６      （１２）
ただし、
ＤG112は、前記第１−１副レンズ群と前記第１−２副レンズ群との間の光軸上距離、
ｆG1は、前記第１レンズ群の焦点距離、
である。
【請求項２３】
前記合焦レンズ群は、前記後側レンズ群中に１つのみ配置されることを特徴とする請求項１から２２の何れか一項に記載の単焦点距離レンズ系。
【請求項２４】
前記後側レンズ群は、ブレ補正レンズ群を有し、
前記ブレ補正レンズ群は、前記単焦点距離レンズ系のブレによる像のブレを軽減させるように光軸の方向とは異なる方向に移動することを特徴とする請求項１から２３の何れか一項に記載の単焦点距離レンズ系。
【請求項２５】
前記後側レンズ群は、前記ブレ補正レンズ群の直前に配置された第２の所定のレンズ群を有し、
前記第２の所定のレンズ群は、前記ブレ補正レンズ群とは符号が異なる屈折力を有することを特徴とする請求項２４に記載の単焦点距離レンズ系。
【請求項２６】
前記後側レンズ群は、前記ブレ補正レンズ群の直後に配置された第３の所定のレンズ群を有し、
前記第３の所定のレンズ群は、前記ブレ補正レンズ群とは符号が異なる屈折力を有することを特徴とする請求項１から２５の何れか一項に記載の単焦点距離レンズ系。
【請求項２７】
前記ブレ補正レンズ群は、複数のレンズと、所定のレンズと、を有し、
前記複数のレンズは、前記ブレ補正レンズ群と符号が同じ屈折力を有し、
前記所定のレンズは、前記ブレ補正レンズ群とは符号が異なる屈折力を有することを特徴とする請求項１から２６の何れか一項に記載の単焦点距離レンズ系。
【請求項２８】
前記後側レンズ群は、前記ブレ補正レンズ群の直前に配置された第２の所定のレンズ群と、前記ブレ補正レンズ群の直後に配置された第３の所定のレンズ群と、を有し、
前記第２の所定のレンズ群と前記第３の所定のレンズ群の各々は、前記ブレ補正レンズ群とは符号が異なる屈折力を有することを特徴とする請求項１から２７の何れか一項に記載の単焦点距離レンズ系。
【請求項２９】
前記ブレ補正レンズ群は負屈折力を有することを特徴とする請求項１から２８の何れか一項に記載の単焦点距離レンズ系。
【請求項３０】
前記合焦レンズ群のみが光軸方向に移動可能なレンズ群であることを特徴とする請求項１から２９の何れか一項に記載の単焦点距離レンズ系。
【請求項３１】
前記合焦レンズ群と前記ブレ補正レンズ群のみが移動可能なレンズ群であることを特徴とする請求項１から３０の何れか一項に記載の単焦点距離レンズ系。
【請求項３２】
前記第２レンズ群は前記前側レンズ群中の最も像側に配置されたレンズ群であることを特徴とする請求項１から３１の何れか一項に記載の単焦点距離レンズ系。
【請求項３３】
前記第２レンズ群が以下の条件式（１３）を満足する負レンズを有することを特徴とする請求項１から３２の何れか一項に記載の単焦点距離レンズ系。
３７＜νG2nMAX＜６０      （１３）
ただし、
νG2nMAXは、前記第２レンズ群中の負レンズのアッベ数のうち、最大となるアッベ数、である。
【請求項３４】
前記合焦レンズ群が開口絞りよりも像側に配置されており、
以下の条件式（１４）を満足することを特徴とする請求項１から３３の何れか一項に記載の単焦点距離レンズ系。
１＜νG2nMAX−νG2pMIN＜４０      （１４）
ただし、
νG2nMAXは、前記第２レンズ群中の負レンズのアッベ数のうち、最大となるアッベ数、
νG2pMINは、前記第２レンズ群中の正レンズのアッベ数のうち、最小となるアッベ数、
である。
【請求項３５】
前記合焦レンズ群は２枚以下のレンズからなることを特徴とする請求項１から３４の何れか一項に記載の単焦点距離レンズ系。
【請求項３６】
前記合焦レンズ群は、１つの正レンズと１つの負レンズとの２つのレンズからなることを特徴とする請求項１から３５の何れか一項に記載の単焦点距離レンズ系。
【請求項３７】
前記後側レンズ群は、物体側から順に、負屈折力の合焦レンズ群と、正屈折力のレンズ群と、負屈折力のブレ補正レンズ群と、正屈折力のレンズ群と、を有することを特徴とする請求項１から３６の何れか一項に記載の単焦点距離レンズ系。
【請求項３８】
以下の条件式（１５）を満足するブレ補正レンズ群を有することを特徴とする請求項１から３７の何れか一項に記載の単焦点距離レンズ系。
０．８＜｜ＭＧISback×（ＭＧIS−１）｜＜５．０      （１５）
ただし、
ＭＧISは、任意の合焦状態での前記ブレ補正レンズ群の横倍率、
ＭＧISbackは、前記任意の合焦状態での、前記ブレ補正レンズ群と像面との間の光学系全体の横倍率、
である。
【請求項３９】
前記合焦レンズ群が以下の条件式（１６）を満足することを特徴とする請求項１から３８の何れか一項に記載の単焦点距離レンズ系。
１．５＜｜（ＭＧfoback）2×｛（ＭＧfo）2−１｝｜＜８．０      （１６）
ただし、    
ＭＧfoは、任意の合焦状態での前記合焦レンズ群の横倍率、
ＭＧfobackは、前記任意の合焦状態での、前記合焦レンズ群と像面との間の光学系全体の横倍率、
である。
【請求項４０】
前記前側レンズ群は、前記第１レンズ群と、前記第２レンズ群と、からなることを特徴とする請求項１から３９の何れか一項に記載の単焦点距離レンズ系。
【請求項４１】
前記開口絞りは、前記後側レンズ群中の何れのレンズよりも物体側に配置されることを特徴とする請求項１から４０の何れか一項に記載の単焦点距離レンズ系。
【請求項４２】
前記後側レンズ群は、前記開口絞りの直前に配置された正レンズ群を有することを特徴とする請求項１から４１の何れか一項に記載の単焦点距離レンズ系。
【請求項４３】
前記後側レンズ群中の前記開口絞りの直前に配置された前記正レンズ群は単レンズであることを特徴とする請求項４２に記載の単焦点距離レンズ系。
【請求項４４】
以下の条件式（１７）を満足することを特徴とする請求項１から４３の何れか一項に記載の単焦点距離レンズ系。
０＜ＭＧG2      （１７）
ただし、
ＭＧG2は、無限遠物体合焦時の前記第２レンズ群の横倍率、
である。
【請求項４５】
以下の条件式（１８）を満足することを特徴とする請求項１から４４の何れか一項に記載の単焦点距離レンズ系。
０．４＜ＤG1img／ｆ＜１．３      （１８）
ただし、
ＤG1imgは、無限遠物体合焦時における前記第１レンズ群の物体側レンズ面から像面までの光軸上に沿った距離、
ｆは、無限遠物体合焦時における前記単焦点距離レンズ系の焦点距離、
である。
【請求項４６】
以下の条件式（１９）を満足することを特徴とする請求項１から４５の何れか一項に記載の単焦点距離レンズ系。
０≦｜ｆ／ｒG2b｜＜７．０      （１９）
ただし、
ｆは、無限遠物体合焦時における前記単焦点距離レンズ系の焦点距離、
ｒG2bは、前記合焦レンズ群の物体側直前のレンズ面の近軸曲率半径、
である。
【請求項４７】
以下の条件式（２０）を満足することを特徴とする請求項１から４６の何れか一項に記載の単焦点距離レンズ系。
０．５≦Φfo／ΦLa≦０．９２      （２０）
ただし、
Φfoは、前記合焦レンズ群を構成するレンズの有効口径のうち、最大となる有効口径、
ΦLaは、前記単焦点距離レンズ系の中で最も像側に位置するレンズにおける最大有効口径、
である。
【請求項４８】
以下の条件式（２１）を満足することを特徴とする請求項１から４７の何れか一項に記載の単焦点距離レンズ系。
０．０２３≦Ｄsfo／ＤLTL≦０．１１０      （２１）
ただし、
Ｄsfoは、前記開口絞りから前記合焦レンズ群の最も物体側のレンズ面までの光軸上の距離、
ＤLTLは、前記単焦点距離レンズ系の最も物体側のレンズ面から像面までの光軸上の距離であって、
いずれの距離も無限遠物体合焦時の距離、
である。
【請求項４９】
以下の条件式（２２）を満足することを特徴とする請求項１から４８の何れか一項に記載の単焦点距離レンズ系。
０．２≦Ｄsfo／φs≦０．８      （２２）
ただし、
Ｄsfoは、前記開口絞りから前記合焦レンズ群の最も物体側のレンズ面までの光軸上の距離であって、無限遠物体合焦時の距離、
φsは、前記開口絞りの最大直径、
である。
【請求項５０】
前記合焦レンズ群より像側に位置する光学系は、少なくとも正レンズ２枚と負レンズ１枚を有することを特徴とする請求項１から４９の何れか一項に記載の単焦点距離レンズ系。
【請求項５１】
光学系と、
撮像面を持ち且つ前記光学系により前記撮像面上に形成された像を電気信号に変換する撮像素子と、を有し、
前記光学系が請求項１から５０のいずれか一項に記載の単焦点距離レンズ系であることを特徴とする撮像装置。
【請求項５２】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記後側レンズ群は開口絞りを含むと共に、第１の所定のレンズ群を有し、
前記第１の所定のレンズ群は、前記合焦レンズ群とは符号が異なる屈折力を有すると共に、前記合焦時に光軸方向に移動せず、
以下の条件式（１８）、（７）を満足することを特徴とする単焦点距離レンズ系。
０．４＜ＤG1img／ｆ＜１．３      （１８）
０．３１＜｜ｆG1／ｆG2｜＜３．０      （７）
ただし、
ＤG1imgは、無限遠物体合焦時における前記第１レンズ群の物体側レンズ面から像面までの光軸上に沿った距離、
ｆは、無限遠物体合焦時における前記単焦点距離レンズ系の焦点距離、
ｆG1は、前記第１レンズ群の焦点距離、
ｆG2は、前記第２レンズ群の焦点距離、
である。
【請求項５３】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記後側レンズ群は開口絞りを含むと共に、第１の所定のレンズ群を有し、
前記第１の所定のレンズ群は、前記合焦レンズ群とは符号が異なる屈折力を有すると共に、前記合焦時に光軸方向に移動せず、
以下の条件式（１８）、（１）を満足することを特徴とする単焦点距離レンズ系。
０．４＜ＤG1img／ｆ＜１．３      （１８）
０．０６＜｜ｆfo／ｆ｜＜０．４      （１）
ただし、
ＤG1imgは、無限遠物体合焦時における前記第１レンズ群の物体側レンズ面から像面までの光軸上に沿った距離、
ｆは、無限遠物体合焦時における前記単焦点距離レンズ系の焦点距離、
ｆfoは、前記合焦レンズ群の焦点距離、
である。
【請求項５４】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記後側レンズ群は開口絞りを含むと共に、第１の所定のレンズ群を有し、
前記第１の所定のレンズ群は、前記合焦レンズ群とは符号が異なる屈折力を有すると共に、前記合焦時に光軸方向に移動せず、
以下の条件式（１８）、（５）を満足することを特徴とする単焦点距離レンズ系。
０．４＜ＤG1img／ｆ＜１．３      （１８）
１．５＜ｆG2／ｆfo＜６．０      （５）
ただし、
ＤG1imgは、無限遠物体合焦時における前記第１レンズ群の物体側レンズ面から像面までの光軸上に沿った距離、
ｆは、無限遠物体合焦時における前記単焦点距離レンズ系の焦点距離、
ｆG2は、前記第２レンズ群の焦点距離、
ｆfoは、前記合焦レンズ群の焦点距離、
である。
【請求項５５】
前記前側レンズ群は前記開口絞りの直前に配置されていることを特徴とする請求項５２から５４の何れか一項に記載の単焦点距離レンズ系。
【請求項５６】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記後側レンズ群は開口絞りを含むと共に、第１の所定のレンズ群を有し、
前記第１の所定のレンズ群は、前記合焦レンズ群とは符号が異なる屈折力を有すると共に、前記合焦時に光軸方向に移動せず、
前記開口絞りは、前記後側レンズ群中のどのレンズよりも物体側に配置されていることを特徴とする単焦点距離レンズ系。
【請求項５７】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記第１レンズ群、前記第２レンズ群及び前記後側レンズ群の各々は、正レンズと、負レンズと、を有し、
以下の条件式（７）を満足することを特徴とする単焦点距離レンズ系。
０．３１＜｜ｆG1／ｆG2｜＜３．０      （７）
ただし、
ｆG1は、前記第１レンズ群の焦点距離、
ｆG2は、前記第２レンズ群の焦点距離、
である。
【請求項５８】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記第１レンズ群、前記第２レンズ群及び前記後側レンズ群の各々は、正レンズと、負レンズと、を有し、
以下の条件式（１）を満足することを特徴とする単焦点距離レンズ系。
０．０６＜｜ｆfo／ｆ｜＜０．４      （１）
ただし、
ｆは、無限遠物体合焦時における前記単焦点距離レンズ系の焦点距離、
ｆfoは、前記合焦レンズ群の焦点距離、
である。
【請求項５９】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記第１レンズ群、前記第２レンズ群及び前記後側レンズ群の各々は、正レンズと、負レンズと、を有し、
開口絞りが、前記合焦レンズ群よりも物体側に配置され、
以下の条件式（１４）を満足することを特徴とする単焦点距離レンズ系。
１＜νG2nMAX−νG2pMIN＜４０      （１４）
ただし、
νG2nMAXは、前記第２レンズ群中の負レンズのアッベ数のうち、最大となるアッベ数、
νG2pMINは、前記第２レンズ群中の正レンズのアッベ数のうち、最小となるアッベ数、
である。
【請求項６０】
光軸に沿って物体側から像側に順に、
前側レンズ群と、後側レンズ群と、を有し、
前記光軸上に他のレンズ群を含まず、
前記前側レンズ群は、物体側から像側に順に、正屈折力の第１レンズ群と、負屈折力の第２レンズ群と、を有し、
前記後側レンズ群は、合焦レンズ群を有し、
前記合焦レンズ群は、無限遠物体から近距離物体への合焦時に光軸に沿って移動し、
前記前側レンズ群は、光軸方向に移動するレンズを含まず、
前記後側レンズ群は、前記合焦時以外に光軸方向に移動するレンズを含まず、
前記第１レンズ群と前記第２レンズ群の各々は、正レンズと、負レンズと、を有し、
前記合焦レンズ群は負屈折力を有し、
以下の条件式（１）を満足することを特徴とする単焦点距離レンズ系。
０．０６＜｜ｆfo／ｆ｜＜０．４      （１）
ただし、
ｆは、無限遠物体合焦時における前記単焦点距離レンズ系の焦点距離、
ｆfoは、前記合焦レンズ群の焦点距離、
である。
【請求項６１】
前記前側レンズ群は全体で正屈折力を有することを特徴とする請求項５２から６０の何れか一項に記載の単焦点距離レンズ系。
【請求項６２】
前記合焦レンズ群は負屈折力を有することを特徴とする請求項５２から６１の何れか一項に記載の単焦点距離レンズ系。
【請求項６３】
開口絞りは前記第２レンズ群よりも像側に配置されていることを特徴とする請求項５２から６２の何れか一項に記載の単焦点距離レンズ系。
【請求項６４】
以下の条件式（５）を満足することを特徴とする請求項５２から６３の何れか一項に記載の単焦点距離レンズ系。
１．５＜ｆG2／ｆfo＜６．０      （５）
ただし、
ｆG2は、前記第２レンズ群の焦点距離、
ｆfoは、前記合焦レンズ群の焦点距離、
である。
【請求項６５】
以下の条件式（１）を満足することを特徴とする請求項５２から６４の何れか一項に記載の単焦点距離レンズ系。
０．０６＜｜ｆfo／ｆ｜＜０．４      （１）
ただし、
ｆfoは、前記合焦レンズ群の焦点距離、
ｆは、無限遠物体合焦時における前記単焦点距離レンズ系の焦点距離、
である。
【請求項６６】
前記前側レンズ群が以下の条件式（４）を満足する正レンズを有することを特徴とする請求項５２から６５の何れか一項に記載の単焦点距離レンズ系。
８０＜νｄFp＜９８      （４）
ただし、
νｄFpは、前記前側レンズ群中の何れかの正レンズのアッベ数、
である。
【請求項６７】
前記後側レンズ群は、正屈折力の像側レンズ群を有し、
前記像側レンズ群は、前記合焦レンズ群よりも像側に配置されていることを特徴とする請求項５２から６６の何れか一項に記載の単焦点距離レンズ系。
【請求項６８】
前記像側レンズ群は、以下の条件式（３）を満足することを特徴とする請求項６７に記載の単焦点距離レンズ系。
０．０７＜ｆR2／ｆ＜０．７      （３）
ただし、
ｆR2は、前記像側レンズ群の焦点距離、
ｆは、無限遠物体合焦時における前記単焦点距離レンズ系の焦点距離、
である。
【請求項６９】
前記像側レンズ群は、前記合焦レンズ群の像側の直後に配置されていることを特徴とする請求項６７に記載の単焦点距離レンズ系。
【請求項７０】
前記像側レンズ群は、正レンズと、負レンズと、を有することを特徴とする請求項６７に記載の単焦点距離レンズ系。
【請求項７１】
以下の条件式（７）を満足することを特徴とする請求項５２から７０の何れか一項に記載の単焦点距離レンズ系。
０．３１＜｜ｆG1／ｆG2｜＜３．０      （７）
ただし、
ｆG1は、前記第１レンズ群の焦点距離、
ｆG2は、前記第２レンズ群の焦点距離、
である。
【請求項７２】
前記第１レンズ群と前記第２レンズ群の各々は、正レンズと、負レンズと、を有することを特徴とする請求項５２から７１の何れか一項に記載の単焦点距離レンズ系。
【請求項７３】
前記第１レンズ群から前記合焦レンズ群の直前までの合成レンズ群全体が正屈折力を有し、
前記合焦レンズ群が負屈折力を有し、
以下の条件式（９）を満足することを特徴とする請求項５２から７２の何れか一項に記載の単焦点距離レンズ系。
−４．５＜ｆFA／ｆfo＜−１．５      （９）
ただし、
ｆFAは、前記合成レンズ群全体の焦点距離、
ｆfoは、前記合焦レンズ群の焦点距離、
である。
【請求項７４】
前記前側レンズ群が正屈折力を有し、
前記合焦レンズ群が負屈折力を有し、
以下の条件式（１０）を満足することを特徴とする請求項５２から７３の何れか一項に記載の単焦点距離レンズ系。
−８．０＜ｆFF／ｆfo＜−１．８      （１０）
ただし、
ｆFFは、前記前側レンズ群の焦点距離、
ｆfoは、前記合焦レンズ群の焦点距離、
である。
【請求項７５】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群と前記第１−２副レンズ群の各々は、正屈折力を有し、
前記第１−１副レンズ群と前記第１−２副レンズ群の各々は、正レンズと、負レンズと、を有し、
以下の条件式（１１）を満足することを特徴とする請求項５２から７４の何れか一項に記載の単焦点距離レンズ系。
０．３５＜ＤG1／ｆG1＜１．３      （１１）
ただし、
ＤG1は、前記第１レンズ群の最も物体側のレンズ面から最も像側のレンズ面までの光軸上での距離、
ｆG1は、前記第１レンズ群の焦点距離、
である。
【請求項７６】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群と前記第１−２副レンズ群の各々は、正屈折力を有し、
前記第１−１副レンズ群と前記第１−２副レンズ群の各々は、正レンズと、負レンズと、を有し、
以下の条件式（１２）を満足することを特徴とする請求項５２から７５の何れか一項に記載の単焦点距離レンズ系。
０．１＜ＤG112／ｆG1＜０．６      （１２）
ただし、
ＤG112は、前記第１−１副レンズ群と前記第１−２副レンズ群との間の光軸上距離、
ｆG1は、前記第１レンズ群の焦点距離、
である。
【請求項７７】
以下の条件式（２）を満足することを特徴とする請求項５２から７６の何れか一項に記載の単焦点距離レンズ系。
−２．０＜ｆG2／ｆ＜−０．０８      （２）
ただし、
ｆは、無限遠物体合焦時における前記単焦点距離レンズ系の焦点距離、
ｆG2は、前記第２レンズ群の焦点距離、
である。
【請求項７８】
前記合焦レンズ群は、前記後側レンズ群中に１つのみ配置されることを特徴とする請求項５２から７７の何れか一項に記載の単焦点距離レンズ系。
【請求項７９】
前記合焦レンズ群は負屈折力を有し、
前記後側レンズ群は、前記合焦レンズ群よりも像側に配置された正屈折力の像側レンズ群を有することを特徴とする請求項５２から７８の何れか一項に記載の単焦点距離レンズ系。
【請求項８０】
前記後側レンズ群は、前記合焦レンズ群の直前に配置された開口絞りを有することを特徴とする請求項５２から７９の何れか一項に記載の単焦点距離レンズ系。
【請求項８１】
前記後側レンズ群はブレ補正レンズ群を有し、
前記ブレ補正レンズ群は、前記単焦点距離レンズ系のブレによる像のブレを軽減させるように光軸の方向とは異なる方向に移動することを特徴とする請求項５２から８０の何れか一項に記載の単焦点距離レンズ系。
【請求項８２】
前記後側レンズ群は、前記ブレ補正レンズ群の直前に配置された第２の所定のレンズ群を有し、
前記第２の所定のレンズ群は、前記ブレ補正レンズ群とは符号が異なる屈折力を有することを特徴とする請求項５２から８１の何れか一項に記載の単焦点距離レンズ系。
【請求項８３】
前記後側レンズ群は、前記ブレ補正レンズ群の直後に配置された第３の所定のレンズ群を有し、
前記第３の所定のレンズ群は、前記ブレ補正レンズ群とは符号が異なる屈折力を有することを特徴とする請求項５２から８２の何れか一項に記載の単焦点距離レンズ系。
【請求項８４】
前記ブレ補正レンズ群は、複数のレンズと、所定のレンズと、を有し、
前記複数のレンズは、前記ブレ補正レンズ群と符号が同じ屈折力を有し、
前記所定のレンズは、前記ブレ補正レンズ群とは符号が異なる屈折力を有することを特徴とする請求項５２から８３の何れか一項に記載の単焦点距離レンズ系。
【請求項８５】
前記後側レンズ群は、前記ブレ補正レンズ群の直前に配置された第２の所定のレンズ群と、前記ブレ補正レンズ群の直後に配置された第３の所定のレンズ群と、を有し、
前記第２の所定のレンズ群と前記第３の所定のレンズ群の各々は、前記ブレ補正レンズ群とは符号が異なる屈折力を有することを特徴とする請求項５２から８４の何れか一項に記載の単焦点距離レンズ系。
【請求項８６】
前記ブレ補正レンズ群は負屈折力を有することを特徴とする請求項５２から８５の何れか一項に記載の単焦点距離レンズ系。
【請求項８７】
前記合焦レンズ群のみが光軸方向に移動可能なレンズ群であることを特徴とする請求項５２から８６の何れか一項に記載の単焦点距離レンズ系。
【請求項８８】
前記合焦レンズ群と前記ブレ補正レンズ群のみが移動可能なレンズ群であることを特徴とする請求項５２から８７の何れか一項に記載の単焦点距離レンズ系。
【請求項８９】
前記第２レンズ群は前記前側レンズ群中の最も像側に配置されたレンズ群であることを特徴とする請求項５２から８８の何れか一項に記載の単焦点距離レンズ系。
【請求項９０】
前記第２レンズ群が以下の条件式（１３）を満足する負レンズを有することを特徴とする請求項５２から８９の何れか一項に記載の単焦点距離レンズ系。
３７＜νG2nMAX＜６０      （１３）
ただし、
νG2nMAXは、前記第２レンズ群中の負レンズのアッベ数のうち、最大となるアッベ数、である。
【請求項９１】
前記合焦レンズ群が開口絞りよりも像側に配置されており、
以下の条件式（１４）を満足することを特徴とする請求項５２から９０の何れか一項に記載の単焦点距離レンズ系。
１＜νG2nMAX−νG2pMIN＜４０      （１４）
ただし、
νG2nMAXは、前記第２レンズ群中の負レンズのアッベ数のうち、最大となるアッベ数、
νG2pMINは、前記第２レンズ群中の正レンズのアッベ数のうち、最小となるアッベ数、
である。
【請求項９２】
前記合焦レンズ群は２枚以下のレンズからなることを特徴とする請求項５２から９１の何れか一項に記載の単焦点距離レンズ系。
【請求項９３】
前記合焦レンズ群は、１つの正レンズと１つの負レンズとの２つのレンズからなることを特徴とする請求項５２から９２の何れか一項に記載の単焦点距離レンズ系。
【請求項９４】
前記後側レンズ群は、物体側から順に、負屈折力の合焦レンズ群と、正屈折力のレンズ群と、負屈折力のブレ補正レンズ群と、正屈折力のレンズ群と、を有することを特徴とする請求項５２から９３の何れか一項に記載の単焦点距離レンズ系。
【請求項９５】
以下の条件式（１５）を満足するブレ補正レンズ群を有することを特徴とする請求項５２から９４の何れか一項に記載の単焦点距離レンズ系。
０．８＜｜ＭＧISback×（ＭＧIS−１）｜＜５．０      （１５）
ただし、
ＭＧISは、任意の合焦状態での前記ブレ補正レンズ群の横倍率、
ＭＧISbackは、前記任意の合焦状態での、前記ブレ補正レンズ群と像面との間の光学系全体の横倍率、
である。
【請求項９６】
前記合焦レンズ群が以下の条件式（１６）を満足することを特徴とする請求項５２から９５の何れか一項に記載の単焦点距離レンズ系。
１．５＜｜（ＭＧfoback）2×｛（ＭＧfo）2−１｝｜＜８．０      （１６）
ただし、    
ＭＧfoは、任意の合焦状態での前記合焦レンズ群の横倍率、
ＭＧfobackは、前記任意の合焦状態での、前記合焦レンズ群と像面との間の光学系全体の横倍率、
である。
【請求項９７】
前記前側レンズ群は、前記第１レンズ群と、前記第２レンズ群と、からなることを特徴とする請求項５２から９６の何れか一項に記載の単焦点距離レンズ系。
【請求項９８】
前記後側レンズ群は、前記後側レンズ群中の何れのレンズよりも物体側に配置された開口絞りを有することを特徴とする請求項５２から９７の何れか一項に記載の単焦点距離レンズ系。
【請求項９９】
前記後側レンズ群は、開口絞りと、前記開口絞りの直前に配置された正屈折力のレンズ群と、を有することを特徴とする請求項５２から９７の何れか一項に記載の単焦点距離レンズ系。
【請求項１００】
前記後側レンズ群中の前記開口絞りの直前に配置された前記正屈折力のレンズ群は１つの単レンズで構成されていることを特徴とする請求項９９に記載の単焦点距離レンズ系。
【請求項１０１】
以下の条件式（１７）を満足することを特徴とする請求項５２から１００の何れか一項に記載の単焦点距離レンズ系。
０＜ＭＧG2      （１７）
ただし、
ＭＧG2は、無限遠物体合焦時の前記第２レンズ群の横倍率、
である。
【請求項１０２】
以下の条件式（１９）を満足することを特徴とする請求項５２から１０１の何れか一項に記載の単焦点距離レンズ系。
０≦｜ｆ／ｒG2b｜＜７．０      （１９）
ただし、
ｆは、無限遠物体合焦時における前記単焦点距離レンズ系の焦点距離、
ｒG2bは、前記合焦レンズ群の物体側直前のレンズ面の近軸曲率半径、
である。
【請求項１０３】
以下の条件式（２０）を満足することを特徴とする請求項５２から１０２の何れか一項に記載の単焦点距離レンズ系。
０．５≦Φfo／ΦLa≦０．９２      （２０）
ただし、
Φfoは、前記合焦レンズ群を構成するレンズの有効口径のうち、最大となる有効口径、
ΦLaは、前記単焦点距離レンズ系の中で最も像側に位置するレンズにおける最大有効口径、
である。
【請求項１０４】
以下の条件式（２１）を満足することを特徴とする請求項５２から１０３の何れか一項に記載の単焦点距離レンズ系。
０．０２３≦Ｄsfo／ＤLTL≦０．１１０      （２１）
ただし、
Ｄsfoは、前記開口絞りから前記合焦レンズ群の最も物体側のレンズ面までの光軸上の距離、
ＤLTLは、前記単焦点距離レンズ系の最も物体側のレンズ面から像面までの光軸上の距離であって、
いずれの距離も無限遠物体合焦時の距離、
である。
【請求項１０５】
以下の条件式（２２）を満足することを特徴とする請求項５２から１０４の何れか一項に記載の単焦点距離レンズ系。
０．２≦Ｄsfo／φs≦０．８      （２２）
ただし、
Ｄsfoは、前記開口絞りから前記合焦レンズ群の最も物体側のレンズ面までの光軸上の距離であって、無限遠物体合焦時の距離、
φsは、前記開口絞りの最大直径、
である。
【請求項１０６】
前記合焦レンズ群より像側に位置する光学系は、少なくとも正レンズ２枚と負レンズ１枚を有することを特徴とする請求項５２から１０５の何れか一項に記載の単焦点距離レンズ系。
【請求項１０７】
光学系と、
撮像面を持ち且つ前記光学系により前記撮像面上に形成された像を電気信号に変換する撮像素子と、を有し、
前記光学系が請求項５２から１０６のいずれか一項に記載の単焦点距離レンズ系であることを特徴とする撮像装置。
【発明の詳細な説明】
【技術分野】
【０００１】
本発明は、単焦点距離レンズ系及びそれを備えた撮像装置に関する。
【背景技術】
【０００２】
望遠レンズや超望遠レンズ（以下、適宜、望遠レンズとする）を用いた撮影では、遠くの被写体や小さな被写体を撮影者の眼前に引き寄せる効果を得られる。そのため、望遠レンズは、スポーツシーンの撮影、野鳥などの野生動物の撮影、天体の撮影など、様々なシーンで幅広く用いられている。
【０００３】
このようなシーンの撮影に用いられる望遠レンズとして、特許文献１、２に開示された望遠レンズがある。
【先行技術文献】
【特許文献】
【０００４】
【特許文献１】特開２００８−１４５５８４号公報
【特許文献２】特開平１１−１６０６１７号公報
【発明の概要】
【発明が解決しようとする課題】
【０００５】
上述のシーンの撮影では、撮像装置の機動性の優劣が重要になる。ここで、機動性とは、例えば、持ち運びの容易性、手持ち撮影時の安定性、フォーカススピードの高速性などである。装置の機動性を優れたものにするためには、光学系は小型で軽量なものが望ましい。また、光学系がより早く被写体にフォーカスできるものであることも、機動性の優劣を左右する重要な要素である。
【０００６】
特許文献１に開示された望遠レンズ、例えば第１実施例の望遠レンズは、焦点距離に対して全長が長いため機動性が劣る。
【０００７】
また、特許文献２に開示された望遠レンズ、例えば第１実施例の望遠レンズは、焦点距離に対して全長が長いため機動性が劣る。また、主にテレフォトを構成する負レンズ群でフォーカスしているが、この負レンズ群（フォーカス群）の小径化には限界がある。よって、フォーカス群の軽量化が難しく、そのためにフォーカス機構の軽量化も難しくなる。このようなことから、機動性を高めること、すなわち、光学系の小型化や軽量化、フォーカススピードの高速化が難しくなる。
【０００８】
また、特許文献２に開示された望遠レンズ、例えば第５実施例の望遠レンズは、焦点距離に対して全長が短いため、光学系の小型化はある程度達成できている。しかしながら、第１実施例の望遠レンズと同様に、主にテレフォトを構成する負レンズ群でフォーカスしているため、光学系の軽量化とフォーカススピードの高速化は十分に達成されているとはいえない。
【０００９】
本発明は、このような課題に鑑みてなされたものであって、機動性に優れると共に、収差が良好に補正された単焦点距離レンズ系及びそれを備えた撮像装置を提供することを目的とするものである。
【課題を解決するための手段】
【００１０】
上述した課題を解決し、目的を達成するために、本発明の単焦点距離レンズ系は、光軸に沿って物体側から像側に順に、
前側レンズ群と、開口絞りを含む後側レンズ群と、を有し、
光軸上に他のレンズ群を含まず、
後側レンズ群は、負屈折力の合焦レンズ群を有し、
合焦レンズ群は、開口絞りよりも像側に配置され、且つ無限遠物体から近距離物体への合焦時に光軸に沿って移動し、
前側レンズ群は、光軸方向に移動するレンズを含まず、
後側レンズ群は、合焦時以外に光軸方向に移動するレンズを含まない。
【００１１】
また、本発明の別の単焦点距離レンズ系は、光軸に沿って物体側から像側に順に、
前側レンズ群と、後側レンズ群と、を有し、
光軸上に他のレンズ群を含まず、
前側レンズ群は、物体側から像側に順に、正屈折力の第１レンズ群と、負屈折力の第２レンズ群と、を有し、
後側レンズ群は、合焦レンズ群を有し、
合焦レンズ群は、無限遠物体から近距離物体への合焦時に光軸に沿って移動し、
前側レンズ群は、光軸方向に移動するレンズを含まず、
後側レンズ群は、合焦時以外に光軸方向に移動するレンズを含まない。
【００１２】
また、本発明の撮像装置は、
光学系と、
撮像面を持ち且つ光学系により撮像面上に形成された像を電気信号に変換する撮像素子と、を有し、
光学系が上述の単焦点距離レンズ系のいずれかであることを特徴とする。
【発明の効果】
【００１３】
本発明によれば、機動性に優れると共に、収差が良好に補正された単焦点距離レンズ系及びそれを備えた撮像装置を提供することができる。
【図面の簡単な説明】
【００１４】
【図１】本発明の単焦点距離レンズ系の無限遠物体合焦時のレンズ断面図であって、（ａ）は実施例１の単焦点距離レンズ系のレンズ断面図、（ｂ）は実施例２の単焦点距離レンズ系のレンズ断面図である。
【図２】本発明の単焦点距離レンズ系の無限遠物体合焦時のレンズ断面図であって、（ａ）は実施例３の単焦点距離レンズ系のレンズ断面図、（ｂ）は実施例４の単焦点距離レンズ系のレンズ断面図である。
【図３】本発明の単焦点距離レンズ系の無限遠物体合焦時のレンズ断面図であって、（ａ）は実施例５の単焦点距離レンズ系のレンズ断面図、（ｂ）は実施例６の単焦点距離レンズ系のレンズ断面図である。
【図４】本発明の単焦点距離レンズ系の無限遠物体合焦時のレンズ断面図であって、実施例７の単焦点距離レンズ系のレンズ断面図である。
【図５】（ａ）、（ｂ）、（ｃ）、（ｄ）は実施例１の単焦点距離レンズ系の無限遠物体合焦時の収差図、（ｅ）、（ｆ）、（ｇ）、（ｈ）は近距離物体合焦時の収差図である。
【図６】（ａ）、（ｂ）、（ｃ）、（ｄ）は実施例２の単焦点距離レンズ系の無限遠物体合焦時の収差図、（ｅ）、（ｆ）、（ｇ）、（ｈ）は近距離物体合焦時の収差図である。
【図７】（ａ）、（ｂ）、（ｃ）、（ｄ）は実施例３の単焦点距離レンズ系の無限遠物体合焦時の収差図、（ｅ）、（ｆ）、（ｇ）、（ｈ）は近距離物体合焦時の収差図である。
【図８】（ａ）、（ｂ）、（ｃ）、（ｄ）は実施例４の単焦点距離レンズ系の無限遠物体合焦時の収差図、（ｅ）、（ｆ）、（ｇ）、（ｈ）は近距離物体合焦時の収差図である。
【図９】（ａ）、（ｂ）、（ｃ）、（ｄ）は実施例５の単焦点距離レンズ系の無限遠物体体焦時の収差図、（ｅ）、（ｆ）、（ｇ）、（ｈ）は近距離物体合焦時の収差図である。
【図１０】（ａ）、（ｂ）、（ｃ）、（ｄ）は実施例６の単焦点距離レンズ系の無限遠物体合焦時の収差図、（ｅ）、（ｆ）、（ｇ）、（ｈ）は近距離物体合焦時の収差図である。
【図１１】（ａ）、（ｂ）、（ｃ）、（ｄ）は実施例７の単焦点距離レンズ系の無限遠物体合焦時の収差図、（ｅ）、（ｆ）、（ｇ）、（ｈ）は近距離物体合焦時の収差図である。
【図１２】実施例１の単焦点距離レンズ系を組み込んだデジタルカメラの断面図である。
【図１３】上記デジタルカメラの外観を示す前方斜視図である。
【図１４】上記デジタルカメラの後方斜視図である。
【図１５】上記デジタルカメラの主要部の内部回路の構成ブロック図である。
【発明を実施するための形態】
【００１５】
以下に、本発明に係る単焦点距離レンズ系及びそれを備えた撮像装置の実施形態及び実施例を、図面に基づいて詳細に説明する。なお、この実施形態及び実施例によりこの発明が限定されるものではない。
【００１６】
本実施形態の単焦点距離レンズ系の説明に先立って、本実施形態の単焦点距離レンズ系が有する基本構成について説明する。なお、以下、適宜、「単焦点距離レンズ系」を「レンズ系」とする。
【００１７】
第１の基本構成では、レンズ系は、光軸に沿って物体側から像側に順に、前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まない。
【００１８】
上述のように、レンズ系は、物体側から像側に順に、前側レンズ群と開口絞りを含む後側レンズ群とを有している。ここで、レンズ系は、光軸上に他のレンズ群、すなわち、前側レンズ群と後側レンズ群以外のレンズ群は含まない。よって、光軸上に配置されているレンズ群は、前側レンズ群と後側レンズ群のみである。カバーガラスや各種の光学フィルタはレンズ群ではないので、光軸上（光路中）に配置されていても良い。
【００１９】
後側レンズ群が開口絞りを含むことで、前側レンズ群よりも像側に、開口絞りを有する後側レンズ群が配置されることになる。このようにすることで、後側レンズ群の小径化ができる。また、後側レンズ群内のレンズ（レンズ群）でフォーカスを行うことで、フォーカスユニットを非常に小径化することが可能になる。
【００２０】
なお、開口絞りを後側レンズ群から独立した構成にしても良い。この場合も、前側レンズ群よりも像側に、開口絞りを有する後側レンズ群が配置されることになる。よって、後側レンズ群の小径化ができる。また、後側レンズ群内のレンズ（レンズ群）でフォーカスを行うことで、フォーカスユニットを非常に小径化することが可能になる。
【００２１】
レンズ系の全長を短縮するには、テレフォト構成を含むようにレンズ系を構成すると共に、テレフォト構成によってもたらされる作用（以下、適宜、「テレフォト構成による作用」とする）を強めることが必要である。テレフォト構成による作用を強めるためには、最も物体側に正屈折力のレンズ群を配置し、その像側に負屈折力のレンズ群を配置すればよい。このようにすることで、テレフォト構成による作用を強めつつ、主に、球面収差、コマ収差及び非点収差の補正が可能になる。
【００２２】
ここで、後側レンズ群は、負屈折力の合焦レンズ群を有している。そこで、例えば、前側レンズ群の屈折力を正屈折力とし、正屈折力を大きくすることで、テレフォト構成による作用を強めることができる。その結果、レンズ系の全長を短縮することができる。
【００２３】
また、合焦レンズ群を開口絞りよりも像側に配置し、無限遠物体から近距離物体への合焦時に合焦レンズ群を光軸に沿って移動させている。このようにすることで、後側レンズ群でフォーカスを行うことができる。その結果、合焦レンズ群の小径化ができる。また、合焦レンズ群の小径化ができるので、フォーカスユニット（合焦レンズ群や移動機構を含む構成）も、非常に小径化することが可能になる。なお、合焦レンズ群は少なくとも１つあれば良いが、複数あっても良い。
【００２４】
また、合焦レンズ群の屈折力を大きくすることで、テレフォト構成による作用を強めることができる。これにより、合焦レンズ群の倍率も高められるので、フォーカス感度を高くすることができる。このようなことは、レンズ群を小径化できる後側レンズ群内に合焦レンズ群を配置するで、容易に実現できる。これにより、合焦レンズ群の軽量化ができると共に、合焦時の合焦レンズ群の移動量が少なくできるので、フォーカススピードの高速化ができる。
【００２５】
また、前側レンズ群は、光軸方向に移動するレンズを含んでいない。すなわち、前側レンズ群は、常時静止している。前側レンズ群が光軸方向に移動するレンズを含んでいない場合、前側レンズ群の屈折力を大きくしても、前側レンズ群内の各レンズの収差補正作用を強めることで、前側レンズ群における球面収差、コマ収差及び非点収差を良好に補正することができる。そして、前側レンズ群における収差を良好に補正できることから、後側レンズ群における収差補正の負担割合を減らすことができる。その結果、良好な結像性能を保ったまま、合焦レンズ群の屈折力を大きくしてテレフォト構成による作用を強められる。
【００２６】
なお、前側レンズ群内のレンズ（レンズ群）でフォーカス、ズームあるいは手ブレ補正などを行おうとすると、前側レンズ群内のレンズを移動させることになる。前側レンズ群内のレンズを移動させると、レンズの移動に伴って、球面収差、コマ収差及び非点収差が多く発生する（変動する）。
【００２７】
また、前側レンズ群では光線高が高いため、これらの収差の発生量は後側レンズ群に比べて多くなる。このようなことから、前側レンズ群内のレンズを移動させると、結像性能が劣化する。結像性能の劣化を防ぐためには、これらの収差の発生（変動）を少なくする必要がある。
【００２８】
このように、前側レンズ群内のレンズを移動させようとすると、前側レンズ群において、テレフォト構成による作用の維持と収差補正とを両立させる必要が生じる。そこで、移動するレンズを前側レンズ群内に配置しないことで、前側レンズ群における収差補正の負担割合が軽減される。その結果、例えば、前側レンズ群の屈折力を正屈折力とし、正屈折力を大きくした場合であっても、後側レンズ群内の負屈折力のレンズ群との組み合わせによって、テレフォト構成による作用をより強めることが可能になる。
【００２９】
また、後側レンズ群は、合焦時以外に光軸方向に移動するレンズを含まない。このようにすることで、後側レンズ群の構成を簡素化できる。
【００３０】
第１−１実施形態の単焦点距離レンズ系について説明する。第１−１実施形態の単焦点距離レンズ系は、光軸に沿って物体側から像側に順に、前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まず、後側レンズ群は、正屈折力の像側レンズ群を有し、像側レンズ群は、合焦レンズ群よりも像側に配置され、且つ少なくとも正レンズと負レンズとを有し、以下の条件式（１）を満足することを特徴とする。
０．０６＜｜ｆfo／ｆ｜＜０．４      （１）
ただし、
ｆは、無限遠物体合焦時における単焦点距離レンズ系の焦点距離、
ｆfoは、合焦レンズ群の焦点距離、
である。
【００３１】
第１−１実施形態のレンズ系では、上述の第１の基本構成に加えて、後側レンズ群は、正屈折力の像側レンズ群を有し、像側レンズ群は、合焦レンズ群よりも像側に配置され、且つ少なくとも正レンズと負レンズとを有し、条件式（１）を満足する。
【００３２】
本実施形態のレンズ系では、後側レンズ群は、正屈折力の像側レンズ群を有し、像側レンズ群は、合焦レンズ群よりも像側に配置され、且つ正レンズと負レンズとを有する。
【００３３】
合焦レンズ群よりも像側に正屈折力の像側レンズ群を配置することで、合焦レンズ群の倍率を高められるので、フォーカス感度を高めることができる。これにより、合焦時の合焦レンズの移動量を減らすことができるので、フォーカススピードを高速化することができる。また、像側レンズ群が正レンズと負レンズとを有することで、像側レンズ群での色収差の発生を抑えることができる。その結果、合焦時の色収差の変動を少なくすることができる。
【００３４】
条件式（１）の下限値を下回ると、合焦レンズ群の屈折力が大きくなり過ぎる。この場合、合焦時、主に球面収差の発生量（変動量）が大きくなるので、合焦時に良好な結像性能が得られない。また、球面収差の低減はレンズ枚数の増加につながるので、フォーカスユニットの軽量化が難しくなる。
【００３５】
条件式（１）の上限値を上回ると、合焦時の合焦レンズ群の移動量が増加する。そのため、合焦レンズ群の移動に必要なスペースを確保しようとすると、レンズ系の全長の短縮が難しくなる。また、フォーカス感度を高めるために、前側レンズ群の正屈折力を大きくする必要がある。この場合、前側レンズ群において、球面収差、コマ収差及び非点収差が増大してしまうので、フォーカス域の全域で良好な結像性能が得られなくなる。
【００３６】
第１−２実施形態の単焦点距離レンズ系について説明する。第１−２実施形態の単焦点距離レンズ系は、光軸に沿って物体側から像側に順に、正屈折力の前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まず、以下の条件式（１）を満足し、後側レンズ群は、正屈折力の像側レンズ群を有し、像側レンズ群は、合焦レンズ群の像側に配置され、像側レンズ群は、以下の条件式（３）を満足することを特徴とする。
０．０６＜｜ｆfo／ｆ｜＜０．４      （１）
０．０７＜ｆR2／ｆ＜０．７      （３）
ただし、
ｆfoは、合焦レンズ群の焦点距離、
ｆは、無限遠物体合焦時における単焦点距離レンズ系の焦点距離、
ｆR2は、像側レンズ群の焦点距離、
である。
【００３７】
第１−２実施形態のレンズ系では、上述の第１の基本構成に加えて、条件式（１）を満足し、後側レンズ群は、正屈折力の像側レンズ群を有し、像側レンズ群は、合焦レンズ群の像側に配置され、像側レンズ群は、条件式（３）を満足する。
【００３８】
条件式（１）の技術的意義については既に説明しているので、説明は省略する。
【００３９】
合焦レンズ群よりも像側に正屈折力の像側レンズ群を配置することで、合焦レンズ群の倍率を高められるので、フォーカス感度を高めることができる。これにより、合焦時の合焦レンズの移動量を減らすことができるので、フォーカススピードを高速化することができる。
【００４０】
なお、複数の正屈折力のレンズ群が、合焦レンズ群よりも像側に配置されている場合、複数の正屈折力のレンズ群の各々を像側レンズ群とみなすことができる。ただし、複数の正屈折力のレンズ群のうちの一つのレンズ群を像側レンズ群としても良い。この場合、像側レンズ群は、複数の正屈折力のレンズ群のうちで、合焦レンズ群の最も近くに位置するレンズ群であることが好ましい。
【００４１】
条件式（３）の下限値を下回ると、合焦レンズ群の倍率は高められるものの、像側レンズ群においてレンズ枚数が増加する。よって、条件式（３）の下限値を下回ることは、像側レンズ群の重量の増加につながる。
【００４２】
条件式（３）の上限値を上回ると、合焦レンズ群の倍率を高めることができないため、合焦時の合焦レンズ群の移動量が増加する。その結果、フォーカスユニットの小型化が困難になる。
【００４３】
なお、複数の正屈折力のレンズ群が、合焦レンズ群よりも像側に配置されている場合、複数の正屈折力のレンズ群の各々を像側レンズ群とみなすことができる。この場合、複数の正屈折力のレンズ群のうち、少なくとも合焦レンズ群の最も近くに位置する正屈折力のレンズ群が、条件式（３）を満足する像側レンズ群であることが好ましい。
【００４４】
第１−３実施形態の単焦点距離レンズ系について説明する。第１−３実施形態の単焦点距離レンズ系は、光軸に沿って物体側から像側に順に、正屈折力の前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まず、前側レンズ群は、物体側から像側に順に、正屈折力の第１レンズ群と、正レンズと負レンズを含む負屈折力の第２レンズ群と、を有し、以下の条件式（２）を満足することを特徴とする。
−２．０＜ｆG2／ｆ＜−０．０８      （２）
ただし、
ｆは、無限遠物体合焦時における単焦点距離レンズ系の焦点距離、
ｆG2は、第２レンズ群の焦点距離、
である。
【００４５】
第１−３実施形態のレンズ系では、上述の第１の基本構成に加えて、前側レンズ群は正屈折力を有すると共に、物体側から像側に順に、正屈折力の第１レンズ群と、正レンズと負レンズを含む負屈折力の第２レンズ群と、を有し、条件式（２）を満足する。
【００４６】
本実施形態のレンズ系では、前側レンズ群は正屈折力を有する。
【００４７】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【００４８】
また、前側レンズ群が正屈折力を有することで、前側レンズ群から射出する光は収束光になり、この収束光が開口絞りを有する後側レンズ群に導かれる。その結果、特に後側レンズ群のうち、開口絞りよりも像側のレンズ群においてレンズ径を小径化できる。
【００４９】
ここで、前側レンズ群は、物体側から像側に順に、正屈折力の第１レンズ群と負屈折力の第２レンズ群とを有している。よって、本実施形態のレンズ系においても、テレフォト構成による作用が強められているので、レンズ系の全長を短縮することができる。また、このように構成することで、テレフォト構成による作用を強めつつ、主に、球面収差、コマ収差及び非点収差を良好に補正できる。
【００５０】
また、第２レンズ群が、正レンズと負レンズとを有することで、前側レンズ群における色収差の補正効果を高めることができる。よって、テレフォト構成による作用を強めても、良好な結像性能を得ることができる。
【００５１】
条件式（２）の下限値を下回ると、テレフォト構成による作用が弱くなるので、レンズ系の全長の短縮が困難になる。条件式（２）の下限値を下回った状態でレンズ系の全長の短縮をしようとすると、合焦レンズ群の負屈折力を大きくする必要がある。しかしながら、合焦レンズ群の負屈折力を大きくすると、合焦時の収差変動が大きくなる。あるいは、合焦レンズ群におけるレンズ枚数が増加するので、フォーカスユニットの軽量化が難しくなる。
【００５２】
条件式（２）の上限値を上回ると、第２レンズ群の屈折力が大きくなりすぎる。第２レンズ群の屈折力が大きい状態で良好な結像性能を確保しようとすると、口径が大きい前側レンズ群におけるレンズ枚数が増加する。このように、条件式（２）の上限値を上回ることは、前側レンズ群の重量の増加につながる。
【００５３】
次に、本実施形態の単焦点距離レンズ系が有する第２の基本構成について説明する。
【００５４】
第２の基本構成では、レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まない。
【００５５】
以下の説明において、第１の基本構成及び／または第１−１から第１−３実施形態と共通する構成は、同様の技術的意義があるため、説明は省略する。
【００５６】
また、合焦レンズ群を後側レンズ群に配置し、無限遠物体から近距離物体への合焦時に合焦レンズ群を光軸に沿って移動させている。このようにすることで、後側レンズ群でフォーカスを行うことができる。その結果、合焦レンズ群の小径化ができる。また、合焦レンズ群の小径化ができるので、フォーカスユニット（合焦レンズ群や移動機構を含む構成）も、非常に小径化することが可能になる。なお、合焦レンズ群は少なくとも１つあれば良いが、複数あっても良い。
【００５７】
また、前側レンズ群内のレンズを移動させようとすると、前側レンズ群において、テレフォト構成による作用の維持と収差補正とを両立させる必要が生じる。そこで、移動するレンズを前側レンズ群内に配置しないことで、前側レンズ群における収差補正の負担割合が軽減される。その結果、前側レンズ群において、テレフォト構成による作用を強めることが可能になる。
【００５８】
第２−１実施形態の単焦点距離レンズ系について説明する。第２−１実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、以下の条件式（１８）、（７）を満足することを特徴とする。
０．４＜ＤG1img／ｆ＜１．３      （１８）
０．３１＜｜ｆG1／ｆG2｜＜３．０      （７）
ただし、
ＤG1imgは、無限遠物体合焦時における第１レンズ群の物体側レンズ面から像面までの光軸上に沿った距離、
ｆは、無限遠物体合焦時における単焦点距離レンズ系の焦点距離、
ｆG1は、第１レンズ群の焦点距離、
ｆG2は、第２レンズ群の焦点距離、
である。
【００５９】
第２−１実施形態のレンズ系では、上述の第２の基本構成に加えて、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、条件式（１８）、（７）を満足する。
【００６０】
また、後側レンズ群は第１の所定のレンズ群を有している。ここで、第１の所定のレンズ群は、合焦レンズ群とは符号が異なる屈折力を有している。例えば、合焦レンズ群の屈折力が負屈折力の場合、第１の所定のレンズ群の屈折力は正屈折力である。第１の所定のレンズ群を後側レンズ群に配置することで、合焦レンズ群の倍率を高めることが可能になる。その結果、合焦時における合焦レンズ群の移動量を減らすことができる。
【００６１】
なお、第１の所定のレンズ群は、合焦時に光軸方向に移動しない。すなわち、第１の所定のレンズ群は、合焦時に静止している。このようにすることで、合焦時に移動するレンズ群の数を減らすことができる。
【００６２】
条件式（１８）、（７）の技術的意義については、後述する。
【００６３】
第２−２実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、以下の条件式（１８）、（１）を満足することを特徴とする。
０．４＜ＤG1img／ｆ＜１．３      （１８）
０．０６＜｜ｆfo／ｆ｜＜０．４      （１）
ただし、
ＤG1imgは、無限遠物体合焦時における第１レンズ群の物体側レンズ面から像面までの光軸上に沿った距離、
ｆは、無限遠物体合焦時における単焦点距離レンズ系の焦点距離、
ｆfoは、合焦レンズ群の焦点距離、
である。
【００６４】
第２−２実施形態のレンズ系では、上述の第２の基本構成に加えて、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、条件式（１８）、（１）を満足する。
【００６５】
第２−３実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、以下の条件式（１８）、（５）を満足することを特徴とする。
０．４＜ＤG1img／ｆ＜１．３      （１８）
１．５＜ｆG2／ｆfo＜６．０      （５）
ただし、
ＤG1imgは、無限遠物体合焦時における第１レンズ群の物体側レンズ面から像面までの光軸上に沿った距離、
ｆは、無限遠物体合焦時における単焦点距離レンズ系の焦点距離、
ｆG2は、第２レンズ群の焦点距離、
ｆfoは、合焦レンズ群の焦点距離、
である。
【００６６】
第２−３実施形態のレンズ系では、上述の第２の基本構成に加えて、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、条件式（１８）、（５）を満足する。
【００６７】
条件式（５）の技術的意義については、後述する。
【００６８】
なお、第２−１実施形態から第２−３実施形態のレンズ系では、前側レンズ群は開口絞りの直前に配置されていることが好ましい。
【００６９】
第２−４実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、開口絞りは、後側レンズ群中のどのレンズよりも物体側に配置されていることを特徴とする。
【００７０】
第２−４実施形態のレンズ系では、上述の第２の基本構成に加えて、後側レンズ群は開口絞りを含むと共に、第１の所定のレンズ群を有し、第１の所定のレンズ群は、合焦レンズ群とは符号が異なる屈折力を有すると共に、合焦時に光軸方向に移動せず、開口絞りは、後側レンズ群中のどのレンズよりも物体側に配置されている。
【００７１】
本実施形態のレンズ系では、開口絞りは、後側レンズ群中のどのレンズよりも物体側に配置されている。このようにすることで、開口絞りよりも像側のレンズ群においてレンズ径を小径化できる。
【００７２】
第２−５実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、第１レンズ群、第２レンズ群及び後側レンズ群の各々は、正レンズと、負レンズと、を有し、以下の条件式（７）を満足することを特徴とする。
０．３１＜｜ｆG1／ｆG2｜＜３．０      （７）
ただし、
ｆG1は、第１レンズ群の焦点距離、
ｆG2は、第２レンズ群の焦点距離、
である。
【００７３】
第２−５実施形態のレンズ系では、上述の第２の基本構成に加えて、第１レンズ群、第２レンズ群及び後側レンズ群の各々は、正レンズと、負レンズと、を有し、条件式（７）を満足する。
【００７４】
また、レンズ群の移動は、フォーカスの他に、ズームや手ブレ補正でも行われる。ズームや手ブレ補正においても、前側レンズ群内に、ズームのためのレンズ群や手ブレ補正のためのレンズ群を配置しないことが好ましい。このようにすることで、前側レンズ群において、テレフォト構成による作用を更に強めることが可能になる。
【００７５】
なお、前側レンズ群の屈折力を正屈折力にしても良い。このようにすることで、レンズ系の全長の短縮がより容易となる。
【００７６】
また、第２レンズ群よりも像側に開口絞りを配置しても良い。このようにすることで、開口絞りよりも像側のレンズ群においてレンズ径を小径化できる。特に、第１レンズ群の正屈折力と第２レンズ群の負屈折力を大きくして、第２レンズ群よりも像側に開口絞りを配置することが好ましい。このようにすることで、開口絞りよりも像側のレンズ群においてレンズ径を更に小径化できる。
【００７７】
条件式（７）の技術的意義については、後述する。
【００７８】
第２−６実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、第１レンズ群、第２レンズ群及び後側レンズ群の各々は、正レンズと、負レンズと、を有し、以下の条件式（１）を満足することを特徴とする。
０．０６＜｜ｆfo／ｆ｜＜０．４      （１）
ただし、
ｆは、無限遠物体合焦時における単焦点距離レンズ系の焦点距離、
ｆfoは、合焦レンズ群の焦点距離、
である。
【００７９】
第２−６実施形態のレンズ系では、上述の第２の基本構成に加えて、第１レンズ群、第２レンズ群及び後側レンズ群の各々は、正レンズと、負レンズと、を有し、条件式（１）を満足する。
【００８０】
第２−７実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、第１レンズ群、第２レンズ群及び後側レンズ群の各々は、正レンズと、負レンズと、を有し、開口絞りが、合焦レンズ群よりも物体側に配置され、以下の条件式（１４）を満足することを特徴とする。
１＜νG2nMAX−νG2pMIN＜４０      （１４）
ただし、
νG2nMAXは、第２レンズ群中の負レンズのアッベ数のうち、最大となるアッベ数、
νG2pMINは、第２レンズ群中の正レンズのアッベ数のうち、最小となるアッベ数、
である。
【００８１】
第２−７実施形態のレンズ系では、上述の第２の基本構成に加えて、第１レンズ群、第２レンズ群及び後側レンズ群の各々は、正レンズと、負レンズと、を有し、開口絞りが、合焦レンズ群よりも物体側に配置され、条件式（１４）を満足する。
【００８２】
本実施形態のレンズ系では、開口絞りが、合焦レンズ群よりも物体側に配置されている。この場合、合焦レンズ群は開口絞りよりも像側に位置する。このようにすることで、合焦レンズ群の倍率を高めることが容易となる。その結果、フォーカス感度をより高めることができるので、レンズ系の小型化と軽量化が可能になる。
【００８３】
また、前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【００８４】
条件式（１４）の技術的意義については、後述する。
【００８５】
第２−８実施形態の単焦点距離レンズ系は、光軸に沿って物体側から像側に順に、前側レンズ群と、後側レンズ群と、を有し、光軸上に他のレンズ群を含まず、前側レンズ群は、物体側から像側に順に、正屈折力の第１レンズ群と、負屈折力の第２レンズ群と、を有し、後側レンズ群は、合焦レンズ群を有し、合焦レンズ群は、無限遠物体から近距離物体への合焦時に光軸に沿って移動し、前側レンズ群は、光軸方向に移動するレンズを含まず、後側レンズ群は、合焦時以外に光軸方向に移動するレンズを含まず、第１レンズ群と第２レンズ群の各々は、正レンズと、負レンズと、を有し、合焦レンズ群は負屈折力を有し、以下の条件式（１）を満足することを特徴とする。
０．０６＜｜ｆfo／ｆ｜＜０．４      （１）
ただし、
ｆは、無限遠物体合焦時における単焦点距離レンズ系の焦点距離、
ｆfoは、合焦レンズ群の焦点距離、
である。
【００８６】
第２−８実施形態のレンズ系では、上述の第２の基本構成に加えて、第１レンズ群と第２レンズ群の各々は、正レンズと、負レンズと、を有し、合焦レンズ群は負屈折力を有し、以下の条件式（１）を満足する。
【００８７】
また、合焦レンズ群は負屈折力を有する。合焦レンズ群は後側レンズ群に含まれるので、前側レンズ群の像側に負屈折力の合焦レンズ群が配置されることになる。これにより、前側レンズ群内に合焦レンズ群が配置されないので、前側レンズ群内でのフォーカスによる収差変動の抑制が不要になる。その結果、前側レンズ群でテレフォト構成による作用を更に強めながら、前側レンズ群全体での収差発生を減らすことができる。
【００８８】
また、レンズ系の全長の短縮により前側レンズ群の正屈折力を大きくして、その像側に負屈折力のレンズ群を配置することで、更にテレフォト構成を得やすくなる。
【００８９】
また、上述したように、前側レンズ群全体での収差の発生を減らせるので、この負屈折力のレンズ群（合焦レンズ群）でフォーカスすることで、合焦レンズ群を軽くできフォーカス時の省電力化など効率的なフォーカスを行える。その結果、レンズ系の構成を、フォーカスによる球面収差や非点収差の変動が非常に少ない構成にすることができる。
【００９０】
また、上記の実施形態の単焦点距離レンズ系（以下、適宜、本実施形態のレンズ系とする）では、前側レンズ群は全体で正屈折力を有することが好ましい。
【００９１】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【００９２】
また、本実施形態のレンズ系では、前側レンズ群は開口絞りの直前に配置されていることが好ましい。
【００９３】
このようにすると、開口絞りよりも像側のレンズ群においてレンズ径を小径化できる。
【００９４】
また、本実施形態のレンズ系では、像側レンズ群は、以下の条件式（３）を満足することが好ましい。
０．０７＜ｆR2／ｆ＜０．７      （３）
ただし、
ｆR2は、像側レンズ群の焦点距離、
ｆは、無限遠物体合焦時における単焦点距離レンズ系の焦点距離、
である。
【００９５】
条件式（３）の技術的意義については既に説明しているので、説明は省略する。なお、像側レンズ群の屈折力は正屈折力であることが好ましい。また、像側レンズ群は、合焦レンズ群よりも像側に配置されていることが好ましい。
【００９６】
合焦レンズ群よりも像側に正屈折力の像側レンズ群を配置することで、合焦レンズ群の倍率を高められるので、フォーカス感度を高めることができる。これにより、合焦時の合焦レンズの移動量を減らすことができるので、フォーカススピードを高速化することができる。
【００９７】
なお、複数の正屈折力のレンズ群が、合焦レンズ群よりも像側に配置されている場合、複数の正屈折力のレンズ群の各々を像側レンズ群とみなすことができる。この場合、複数の正屈折力のレンズ群のうち、少なくとも合焦レンズ群の最も近くに位置する正屈折力のレンズ群が、条件式（３）を満足する像側レンズ群であることが好ましい。
【００９８】
また、本実施形態のレンズ系では、後側レンズ群は、正屈折力の像側レンズ群を有し、像側レンズ群は、合焦レンズ群よりも像側に配置され、且つ少なくとも正レンズと負レンズとを有することが好ましい。
【００９９】
合焦レンズ群よりも像側に正屈折力の像側レンズ群を配置することで、合焦レンズ群の倍率を高められるので、フォーカス感度を高めることができる。これにより、合焦時の合焦レンズの移動量を減らすことができるので、フォーカススピードを高速化することができる。また、像側レンズ群が正レンズと負レンズとを有することで、像側レンズ群での色収差の発生を抑えることができる。その結果、合焦時の色収差の変動を少なくすることができる。
【０１００】
なお、複数の正屈折力のレンズ群が、合焦レンズ群よりも像側に配置されている場合、複数の正屈折力のレンズ群の各々を像側レンズ群とみなすことができる。ただし、複数の正屈折力のレンズ群のうちの一つのレンズ群を像側レンズ群としても良い。この場合、像側レンズ群は、複数の正屈折力のレンズ群のうちで、合焦レンズ群の最も近くに位置するレンズ群であることが好ましい。
【０１０１】
また、本実施形態のレンズ系では、像側レンズ群は、合焦レンズ群の像側の直後に配置されていることが好ましい。
【０１０２】
合焦レンズ群よりも像側に正屈折力の像側レンズ群を配置する効果は、既に説明したとおりである。像側レンズ群を合焦レンズ群の像側の直後に配置すること、すなわち、像側レンズ群と合焦レンズ群の間に他のレンズ群が存在しない状態にすることで、その効果をより高めることができる。
【０１０３】
また、本実施形態のレンズ系では、前側レンズ群が以下の条件式（４）を満足する正レンズを有することが好ましい。
８０＜νｄFp＜９８      （４）
ただし、
νｄFpは、前側レンズ群中の何れかの正レンズのアッベ数、
である。
【０１０４】
前側レンズ群で発生する色収差は、後側レンズ群で拡大される。そのため、前側レンズ群で発生する色収差の量をなるべく少なくする必要がある。
【０１０５】
条件式（４）の下限値を下回ると、前側レンズ群での色収差の残存量が増加するため、良好な結像性能が得られない。条件式（４）の上限値を上回ると、前側レンズ群での色収差が補正過剰となるので、低分散の硝材を使うメリットが少なくなる。
【０１０６】
また、本実施形態のレンズ系は、以下の条件式（５）を満足することが好ましい。
１．５＜ｆG2／ｆfo＜６．０      （５）
ただし、
ｆG2は、第２レンズ群の焦点距離、
ｆfoは、合焦レンズ群の焦点距離、
である。
【０１０７】
条件式（５）の下限値を下回ると、合焦レンズ群の屈折力が小さくなり過ぎる。この場合、合焦時の合焦レンズ群の移動量が増加する。そのため、合焦レンズ群の移動に必要なスペースを確保しようとすると、レンズ系の全長の短縮が難しくなる。
【０１０８】
条件式（５）の上限値を上回ると、前側レンズ群での球面収差、コマ収差及び非点収差の補正が難しくなる。これらの収差を後側レンズ群で補正しようとすると、合焦レンズ群における収差補正の負担割合も増加するので、合焦時に良好な結像性能が得られなくなる。
【０１０９】
なお、前側レンズ群において、正屈折力の第１レンズ群と負屈折力の第２レンズ群とを、物体側から像側にこの順で配置することで、前側レンズ群内でもテレフォト構成による作用を強めることができる。その結果、レンズ系の全長の短縮が可能になる。また、第２レンズ群が、正レンズと負レンズとを有することで、前側レンズ群における色収差の補正効果を高めることができる。よって、テレフォト構成による作用を強めても、良好な結像性能を得ることができる。
【０１１０】
また、本実施形態のレンズ系は、上述の条件式（１）を満足することが好ましい。
【０１１１】
条件式（１）の技術的意義については既に説明しているので、説明は省略する。
【０１１２】
また、本実施形態のレンズ系では、前側レンズ群は、物体側から像側に順に、正屈折力の第１レンズ群と、負屈折力の第２レンズ群と、を有し、以下の条件式（７）を満足することが好ましい。
０．３１＜｜ｆG1／ｆG2｜＜３．０      （７）
ただし、
ｆG1は、第１レンズ群の焦点距離、
ｆG2は、第２レンズ群の焦点距離、
である。
【０１１３】
前側レンズ群は、物体側から像側に順に、正屈折力の第１レンズ群と負屈折力の第２レンズ群とを有している。よって、本実施形態のレンズ系においても、テレフォト構成による作用が強められているので、レンズ系の全長を短縮することができる。また、このように構成することで、テレフォト構成による作用を強めつつ、主に、球面収差、コマ収差及び非点収差を良好に補正できる。
【０１１４】
条件式（７）の下限値を下回ると、レンズ系の全長の短縮に有利となるが、口径が大きい第１レンズ群の屈折力が大きくなり過ぎる。この場合、レンズ系全体の屈折力に占める第１レンズ群の屈折力の比率が大きくなるので、レンズ系全体の軽量化が困難になる。
【０１１５】
条件式（７）の上限値を上回ると、第２レンズ群の屈折力が大きくなり過ぎる。この場合、レンズ系全体の屈折力に占める第２レンズ群の屈折力の比率が大きくなるので、レンズ系の全長の短縮が困難になる。
【０１１６】
なお、前側レンズ群において、正屈折力の第１レンズ群と負屈折力の第２レンズ群とを、物体側から像側にこの順で配置することで、前側レンズ群内でもテレフォト構成による作用を強めることができる。その結果、レンズ系の全長の短縮が可能になる。また、第２レンズ群が、正レンズと負レンズとを有することで、前側レンズ群における色収差の補正効果を高めることができる。よって、テレフォト構成による作用を強めても、良好な結像性能を得ることができる。
【０１１７】
また、本実施形態のレンズ系では、第２レンズ群は、正レンズと負レンズとを含むことが好ましい。
【０１１８】
第２レンズ群が、正レンズと負レンズとを有することで、前側レンズ群における色収差の補正効果を高めることができる。よって、テレフォト構成による作用を強めても、良好な結像性能を得ることができる。
【０１１９】
また、本実施形態のレンズ系は、上述の条件式（２）を満足することが好ましい。
【０１２０】
条件式（２）の技術的意義については既に説明しているので、説明は省略する。
【０１２１】
また、本実施形態のレンズ系では、合焦レンズ群は、開口絞りの像側の直後に配置されることが好ましい。
【０１２２】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０１２３】
また、開口絞りを前側レンズ群と後側レンズ群との間に配置することで、開口絞りよりも像側のレンズ群においてレンズ径を小径化できる。開口絞りの直後では、前側レンズ群側から収束光が後側レンズ群に入射するので、後側レンズ群の小径化が最も図りやすい。そこで、開口絞りの直後を合焦レンズ群とすることで、合焦レンズ群においてレンズ径を小径化できる。
【０１２４】
また、合焦レンズ群と前側レンズ群との間にレンズを含まない構成、すなわち、物体側から、前側レンズ群、開口絞り、合焦レンズ群、という構成にして、合焦レンズ群の屈折力を負屈折力とする。このようにすることで、効率的にテレフォト構成による作用をより強めることができる。
【０１２５】
また、このような構成すると、光線が徐々に収束している位置に合焦レンズ群を配置できるため、合焦レンズ群においてレンズ径を小径化でき、その結果、フォーカスユニットの小型化や軽量化が可能になる。
【０１２６】
また、このような構成にすると、合焦レンズ群の屈折力を大きくしても、合焦レンズ群を通過した後の光線の発散を少なくできる。よって、フォーカス感度を高めつつ、後側レンズ群全体を小径化できる。そして、後側レンズ群全体の小径化と合焦時の合焦レンズ群の移動量をより少なくできることで、フォーカスユニットの小型化と軽量化が更に可能となる。
【０１２７】
また、合焦レンズ群よりも像側にレンズ群を配置し、このレンズ群の屈折力を、合焦レンズ群とは符号が異なる屈折力にすることが好ましい。このようにすることで、フォーカス感度をより容易に高めることができる。なお、このレンズ群は、合焦時の色収差の変動を抑えるために、正レンズと負レンズで構成されていることが望ましい。また、このレンズ群は２枚以下のレンズで構成することが好ましい。このようにすることで、レンズ系の軽量化が図れる。
【０１２８】
また、本実施形態のレンズ系では、後側レンズ群は、正屈折力の像側レンズ群を有し、
像側レンズ群は、合焦レンズ群よりも像側に配置され、且つ少なくとも正レンズと負レンズを有することが好ましい。
【０１２９】
合焦レンズ群よりも像側に正屈折力の像側レンズ群を配置することで、合焦レンズ群の倍率を高められるので、フォーカス感度を高めることができる。これにより、合焦時の合焦レンズの移動量を減らすことができるので、フォーカススピードを高速化することができる。また、像側レンズ群が正レンズと負レンズとを有することで、像側レンズ群での色収差の発生を抑えることができる。その結果、合焦時の色収差の変動を少なくすることができる。
【０１３０】
また、本実施形態のレンズ系では、前側レンズ群は、物体側から像側に順に、正屈折力の第１レンズ群と、負屈折力の第２レンズ群と、を有し、第１レンズ群と第２レンズ群の各々は、正レンズと、負レンズと、を有することが好ましい。
【０１３１】
前側レンズ群は、物体側から像側に順に、正屈折力の第１レンズ群と負屈折力の第２レンズ群とを有している。よって、本実施形態のレンズ系においても、テレフォト構成による作用が強められているので、レンズ系の全長を短縮することができる。また、このように構成することで、テレフォト構成による作用を強めつつ、主に、球面収差、コマ収差及び非点収差を良好に補正できる。
【０１３２】
前側レンズ群においてテレフォト構成による作用を強めるにあたっては、第１レンズ群と第２レンズ群の各々が、少なくとも正レンズと負レンズとを有することが好ましい。このようにすることで、第１レンズ群と第２レンズ群の各々で、球面収差、コマ収差、非点収差及び色収差等の発生を減らすことができる。その結果、レンズ系を小型化しながらも良好な結像性能を得ることができる。
【０１３３】
また、本実施形態のレンズ系では、後側レンズ群は、正レンズと、負レンズと、を有することが好ましい。
【０１３４】
後側レンズ群に、少なくとも正レンズと負レンズを配置することで、後側レンズ群での球面収差とコマ収差の発生を抑えることができる。その結果、良好な結像性能が得られる。なお、正レンズと負レンズを配置する順番は問わない。
【０１３５】
また、本実施形態のレンズ系では、第１レンズ群から合焦レンズ群の直前までの合成レンズ群全体が正屈折力を有し、合焦レンズ群が負屈折力を有し、以下の条件式（９）を満足することが好ましい。
−４．５＜ｆFA／ｆfo＜−１．５      （９）
ただし、
ｆFAは、合成レンズ群全体の焦点距離、
ｆfoは、合焦レンズ群の焦点距離、
である。
【０１３６】
合成レンズ群全体の屈折力を正屈折力とし、合焦レンズ群の屈折力を負屈折力とすることで、レンズ系全体でテレフォト構成による作用を強めることができるので、レンズ系の全長の短縮が可能になる。
【０１３７】
条件式（９）の下限値を下回ると、合焦レンズ群の屈折力が大きくなりすぎる。この場合、合焦レンズ群内で発生する球面収差が増加するので、フォーカス域の全域で良好な結像性能が得られない。
【０１３８】
条件式（９）の上限値を上回ると、合焦レンズ群の屈折力が小さくなりすぎる。この場合、フォーカス感度が低下するので、合焦時の合焦レンズ群の移動量が増加する。その結果、レンズ系の全長の短縮が困難になる。
【０１３９】
また、本実施形態のレンズ系では、前側レンズ群が正屈折力を有し、合焦レンズ群が負屈折力を有し、以下の条件式（１０）を満足することが好ましい。
−８．０＜ｆFF／ｆfo＜−１．８      （１０）
ただし、
ｆFFは、前側レンズ群の焦点距離、
ｆfoは、合焦レンズ群の焦点距離、
である。
【０１４０】
前側レンズ群の屈折力を正屈折力とし、合焦レンズ群の屈折力を負屈折力とすることで、レンズ系全体でテレフォト構成による作用を強めることができるので、レンズ系の全長の短縮が可能になる。
【０１４１】
条件式（１０）の下限値を下回ると、合焦レンズ群の屈折力が大きくなりすぎる。この場合、合焦レンズ群内で発生する球面収差が増加するので、フォーカス域の全域で良好な結像性能が得られない。
【０１４２】
条件式（１０）の上限値を上回ると、合焦レンズ群の屈折力が小さくなりすぎる。この場合、フォーカス感度が低下するので、合焦時の合焦レンズ群の移動量が増加する。その結果、レンズ系の全長の短縮が困難になる。
【０１４３】
また、本実施形態のレンズ系では、第１レンズ群は、物体側の第１−１副レンズ群と、像側の第１−２副レンズ群と、を有し、第１−１副レンズ群と第１−２副レンズ群との光軸上空気間隔は、第１レンズ群中で最も長く、第１−１副レンズ群と第１−２副レンズ群の各々は、正屈折力を有し、第１−１副レンズ群と第１−２副レンズ群の各々は、正レンズと、負レンズと、を有し、以下の条件式（１１）を満足することが好ましい。
０．３５＜ＤG1／ｆG1＜１．３      （１１）
ただし、
ＤG1は、第１レンズ群の最も物体側のレンズ面から最も像側のレンズ面までの光軸上での距離、
ｆG1は、第１レンズ群の焦点距離、
である。
【０１４４】
レンズ系の全長を短くするには、前側レンズ群において、物体側に正屈折力の第１レンズ群を配置すると共に、第１レンズ群の正屈折力を大きくする必要がある。しかしながら、第１レンズ群を単独の（１つの）正レンズで構成して、テレフォト構成による作用を強めようとすると、単独の正レンズのみが屈折力を負担するため、第１レンズ群において、球面収差の曲がり（発生量）が大きくなる。
【０１４５】
そこで、第１レンズ群の正屈折力を、第１−１副レンズ群と第１−２副レンズ群とに分ける。このようにすることで、第１レンズ群の屈折力を大きくしても、第１レンズ群の構成を球面収差の曲がりの少ない構成にすることが可能になる。更に、第１−１副レンズ群と第１−２副レンズ群の各々を、正レンズと負レンズとを有する構成とする。このようにすることで、第１レンズ群における色収差の曲がり（発生量）も減らすことができる。
【０１４６】
条件式（１１）の下限値を下回ると、第１−２副レンズ群におけるレンズ径が大きくなる。そのため、レンズ系全体の軽量化が図れなくなる。更に、球面収差の曲がりが増加してしまうので、良好な結像性能の確保が困難になる。
【０１４７】
条件式（１１）の上限値を上回ると、レンズ系の全長の短縮が困難になる。
【０１４８】
なお、前側レンズ群におけるテレフォト構成による作用を強めるには、前側レンズ群を、物体側から像側に順に、正屈折力の第１レンズ群と負屈折力の第２レンズ群で構成し、第１レンズ群の正屈折力を大きくする必要がある。しかしながら、第１レンズ群を単独の（１つの）正レンズで構成して、テレフォト構成による作用を強めようとすると、単独の正レンズのみが屈折力を負担するため、第１レンズ群において、球面収差の曲がり（発生量）が大きくなる。よって、このようなことからも、上記のように第１レンズ群を２つの副レンズ群で構成すると共に、条件式（１１）を満足することがこのましい。
【０１４９】
また、本実施形態のレンズ系では、第１レンズ群は、物体側の第１−１副レンズ群と、像側の第１−２副レンズ群と、を有し、第１−１副レンズ群と第１−２副レンズ群との光軸上空気間隔は、第１レンズ群中で最も長く、第１−１副レンズ群と第１−２副レンズ群の各々は、正屈折力を有し、第１−１副レンズ群と第１−２副レンズ群の各々は、正レンズと、負レンズと、を有し、以下の条件式（１２）を満足することが好ましい。
０．１＜ＤG112／ｆG1＜０．６      （１２）
ただし、
ＤG112は、第１−１副レンズ群と第１−２副レンズ群との間の光軸上距離、
ｆG1は、第１レンズ群の焦点距離、
である。
【０１５０】
レンズ系の全長を短くするには、前側レンズ群において、物体側に正屈折力の第１レンズ群を配置すると共に、第１レンズ群の正屈折力を大きくする必要がある。しかしながら、第１レンズ群を単独の（１つの）正レンズで構成して、テレフォト構成による作用を強めようとすると、単独の正レンズのみが屈折力を負担するため、第１レンズ群において、球面収差の曲がり（発生量）が大きくなる。
【０１５１】
そこで、第１レンズ群の正屈折力を、第１−１副レンズ群と第１−２副レンズ群とに分ける。このようにすることで、第１レンズ群の屈折力を大きくしても、第１レンズ群の構成を球面収差の曲がりの少ない構成にすることが可能になる。更に、第１−１副レンズ群と第１−２副レンズ群の各々を、正レンズと負レンズとを有する構成とする。このようにすることで、第１レンズ群における色収差の曲がり（発生量）も減らすことができる。
【０１５２】
条件式（１２）の下限値を下回ると、第１−２副レンズ群におけるレンズ径が大きくなる。そのため、レンズ系全体の軽量化が図れなくなる。更に、球面収差の曲がりが増加してしまうので、良好な結像性能の確保が困難になる。
【０１５３】
条件式（１２）の上限値を上回ると、レンズ系の全長の短縮が困難になる。
【０１５４】
なお、前側レンズ群におけるテレフォト構成による作用を強めるには、前側レンズ群を、物体側から像側に順に、正屈折力の第１レンズ群と負屈折力の第２レンズ群で構成し、第１レンズ群の正屈折力を大きくする必要がある。しかしながら、第１レンズ群を単独の（１つの）正レンズで構成して、テレフォト構成による作用を強めようとすると、単独の正レンズのみが屈折力を負担するため、第１レンズ群において、球面収差の曲がり（発生量）が大きくなる。よって、このようなことからも、条件式（１２）を満足することがこのましい。
【０１５５】
また、本実施形態のレンズ系では、合焦レンズ群は、後側レンズ群中に１つのみ配置されることが好ましい。
【０１５６】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。また、このような構成により、後側レンズ群を小径化できる。
【０１５７】
そこで、後側レンズ群内に合焦レンズ群を配置することで、合焦レンズ群を小型に構成できる。これに伴い、フォーカスユニットの小型化と軽量化が可能になる。
【０１５８】
更に、本実施形態の基本構成では、上述のように、前側レンズ群内で球面収差、コマ収差及び非点収差を良好に補正できる。そのため、後側レンズ群内に合焦レンズ群を配置することで、合焦性能の安定性を向上させることができる。そして、合焦性能の安定性が向上することから、後側レンズ群内に配置した合焦レンズ群の数が一つであっても、安定した合焦性能が得られる。
【０１５９】
また、合焦レンズ群よりも像側にレンズ群を配置し、このレンズ群の屈折力を、合焦レンズ群とは符号が異なる屈折力にすることが好ましい。このようにすることで、フォーカス感度をより容易に高めることができる。
【０１６０】
また、本実施形態のレンズ系では、後側レンズ群は、ブレ補正レンズ群を有し、ブレ補正レンズ群は、単焦点距離レンズ系のブレによる像のブレを軽減させるように光軸の方向とは異なる方向に移動することが好ましい。
【０１６１】
屈折力を有するレンズ群をシフトさせることで、手ブレにより発生する結像位置のシフトを補正することができる。ここで、レンズ群のシフトとは、レンズ系のブレによる像のブレを軽減させるように、光軸の方向とは異なる方向にレンズ群を移動することである。このシフトさせるレンズ群は、小型で軽量であることが望ましい。
【０１６２】
テレフォト構成を有するレンズ系では、後側レンズ群が、最もレンズ径が小さいレンズ群となる。そうすると、本実施形態のレンズ系もテレフォト構成を備えているので、シフトさせるレンズ群、すなわち、ブレ補正レンズ群を後側レンズ群内に配置することが好ましい。このようにすることで、ブレ補正レンズ群の小径化と軽量化ができるので、ブレ補正の応答性を高めるこができる。
【０１６３】
また、本実施形態のレンズ系では、後側レンズ群は、ブレ補正レンズ群の直前に配置された第２の所定のレンズ群を有し、第２の所定のレンズ群は、ブレ補正レンズ群とは符号が異なる屈折力を有することが好ましい。
【０１６４】
このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【０１６５】
なお、第１の所定のレンズ群と第２の所定のレンズ群とが同一であっても良い。
【０１６６】
また、本実施形態のレンズ系では、後側レンズ群は、ブレ補正レンズ群の直後に配置された第３の所定のレンズ群を有し、前記第３の所定のレンズ群は、ブレ補正レンズ群とは符号が異なる屈折力を有することが好ましい。
【０１６７】
このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【０１６８】
なお、第１の所定のレンズ群と第３の所定のレンズ群とが同一であっても良い。
【０１６９】
また、本実施形態のレンズ系では、ブレ補正レンズ群は、複数のレンズと、所定のレンズと、を有し、複数のレンズは、ブレ補正レンズ群と符号が同じ屈折力を有し、所定のレンズは、ブレ補正レンズ群とは符号が異なる屈折力を有することが好ましい。
【０１７０】
ブレが生じた時に発生する収差は、主に、球面収差・像面湾曲及び倍率色収差である。ブレに対する補正性能の劣化を軽減するには、これらの収差の発生量を軽減することが必要である。ここで、ブレ補正レンズ群では、屈折力の負担割合が大きくなっている（屈折力が大きい）ので、収差が発生し易い。
【０１７１】
そこで、ブレ補正レンズ群を、複数のレンズと所定のレンズとで構成する。そして、複数のレンズがブレ補正レンズ群の屈折力と符号が同じ屈折力を有することで、球面収差や像面湾曲の発生を軽減することができる。さらに、所定のレンズがブレ補正レンズ群とは符号が異なる屈折力を有することで、色収差を良好に補正することができる。
【０１７２】
なお、複数のレンズの枚数を２枚とし、所定のレンズの枚数を１枚とし、合計３枚のレンズでブレ補正レンズ群を構成することが望ましい。
【０１７３】
また、本実施形態のレンズ系では、後側レンズ群は、ブレ補正レンズ群の直前に配置された第２の所定のレンズ群と、ブレ補正レンズ群の直後に配置された第３の所定のレンズ群と、を有し、第２の所定のレンズ群と第３の所定のレンズ群の各々は、ブレ補正レンズ群とは符号が異なる屈折力を有することが好ましい。
【０１７４】
このように構成することで、収差の発生を抑えながら、ブレ補正レンズ群の屈折力をより大きくすることができる。その結果、ブレ補正レンズ群のシフト量に対する結像位置のシフト量を、より大きくすることができる。これにより、少ないシフト量でより高い精度のブレ補正を行うことができる。
【０１７５】
また、本実施形態のレンズ系では、ブレ補正レンズ群は負屈折力を有することが好ましい。
【０１７６】
ブレ補正では、ブレ補正レンズ群をシフトさせている。このブレ補正にあたっては、ブレ補正レンズ群の移動量を小さくする（移動範囲を狭くする）ことが好ましい。移動量を小さくするためには、レンズ径がより小さいレンズ群（レンズ）をブレ補正レンズ群とすることが望ましい。ブレ補正レンズ群の屈折力を負屈折力とすることで、ブレ補正レンズ群のレンズ径を小さくしやすい光学的なレイアウトを採用でき好ましい。
【０１７７】
また、本実施形態のレンズ系では、合焦レンズ群のみが光軸方向に移動可能なレンズ群であることが好ましい。
【０１７８】
光軸方向に移動可能なレンズ群を合焦レンズ群のみとすることで、移動させるレンズの枚数を減らすことができる。これにより、合焦時に移動させるレンズ群を軽量化することができる。
【０１７９】
また、本実施形態のレンズ系では、合焦レンズ群とブレ補正レンズ群のみが移動可能なレンズ群であることが好ましい。
【０１８０】
移動可能なレンズ群を、合焦レンズ群とブレ補正レンズ群のみとすることで、移動させるレンズの枚数を減らすことができる。これにより、合焦時やブレ補正時に移動させるレンズ群を軽量化することができる。
【０１８１】
また、本実施形態のレンズ系では、第２レンズ群は前側レンズ群中の最も像側に配置されたレンズ群であることが好ましい。
【０１８２】
このようにすることは、テレフォト構成による作用を強めやすくなるので好ましい。
【０１８３】
また、本実施形態のレンズ系では、第２レンズ群が以下の条件式（１３）を満足する負レンズを有することが好ましい。
３７＜νG2nMAX＜６０      （１３）
ただし、
νG2nMAXは、第２レンズ群中の負レンズのアッベ数のうち、最大となるアッベ数、
である。
【０１８４】
条件式（１３）の下限値を下回ると、負レンズの分散が大きくなりすぎるため、軸上色収差が補正不足になりやすい。条件式（１３）の上限値を上回ると、軸上色収差の補正が過剰傾向となるので、軸上色収差を良好に補正することが困難になる。
【０１８５】
また、本実施形態のレンズ系では、合焦レンズ群が開口絞りよりも像側に配置されており、以下の条件式（１４）を満足することが好ましい。
１＜νG2nMAX−νG2pMIN＜４０      （１４）
ただし、
νG2nMAXは、第２レンズ群中の負レンズのアッベ数のうち、最大となるアッベ数、
νG2pMINは、第２レンズ群中の正レンズのアッベ数のうち、最小となるアッベ数、
である。
【０１８６】
合焦レンズ群が開口絞りよりも像側に配置されることで、開口絞りよりも像側のレンズ群においてレンズ径を小径化できる。
【０１８７】
また、前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０１８８】
条件式（１４）の下限値を下回ると、第２レンズ群で発生する軸上色収差と倍率色収差が大きくなるので、前側レンズ群内での良好な色収差の補正が困難となる。この場合、後側レンズ群における色収差の負担割合が増加するが、この増加分を負担しきれないので、後側レンズ群において色収差を十分に補正することが困難になる。そのため、合焦時、後側レンズ群内での色収差の発生が顕著になる。
【０１８９】
条件式（１４）の上限値を上回ると、軸上色収差又は倍率色収差の補正が過剰となるので、前側レンズ群内での良好な色収差補正が困難となる。その結果、合焦時、後側レンズ群内での色収差の発生が顕著になる。
【０１９０】
また、本実施形態のレンズ系では、合焦レンズ群は２枚以下のレンズからなることが好ましい。
【０１９１】
本実施形態の基本構成では、上述のように、前側レンズ群内で球面収差、コマ収差及び非点収差を良好に補正できる。そのため、後側レンズ群内に合焦レンズ群を配置することで、合焦性能の安定性を向上させることができる。そして、合焦性能の安定性が向上することから、合焦レンズ群を２枚以下の少ない枚数で構成しても、高い合焦性能の確保と合焦レンズ群の軽量化が可能になる。
【０１９２】
また、本実施形態のレンズ系では、合焦レンズ群は、１つの正レンズと１つの負レンズとの２つのレンズからなることが好ましい。
【０１９３】
合焦レンズ群を１つの正レンズと１つの負レンズとで構成することで、合焦レンズ群での色収差の発生を減らすことができる。その結果、合焦時に安定した合焦性能を確保できる。また、色収差の補正を最小枚数の２枚のレンズで行うことで、高い合焦性能の確保と合焦レンズ群の軽量化の両立ができる。
【０１９４】
また、本実施形態のレンズ系では、後側レンズ群は、物体側から順に、負屈折力の合焦レンズ群と、正屈折力のレンズ群と、負屈折力のブレ補正レンズ群と、正屈折力のレンズ群と、を有することが好ましい。
【０１９５】
レンズ系の全長の短縮を考えると、合焦レンズ群よりも物体側に位置するレンズ群の屈折力は正屈折力とし、合焦レンズ群の屈折力を負屈折力とすることが好ましい。このようにすることは、テレフォト構成による作用をより強めることになるので、レンズ系の全長の短縮に有効である。また、このような構成にすると、光線が徐々に収束している位置に合焦レンズ群を配置できるため、合焦レンズ群においてレンズ径を小径化できる。その結果、フォーカスユニットの小型化と軽量化が可能になる。
【０１９６】
また、このような構成にすると、合焦レンズ群の屈折力を大きくしても、合焦レンズ群を通過した後の光線の発散を少なくできる。よって、フォーカス感度を高めつつ、後側レンズ群全体を小径化できる。そして、後側レンズ群全体の小径化と合焦時の合焦レンズ群の移動量をより少なくできることで、フォーカスユニットの小型化と軽量化が更に可能となる。
【０１９７】
そこで、合焦レンズ群の屈折力を負屈折力とし、合焦レンズ群よりも像側に正レンズ群を配置することが好ましい。このようにすることで、合焦レンズ群の倍率を高められるので、フォーカス感度をより容易に高めることができる。これにより、合焦時の合焦レンズの移動量を減らすことができるので、フォーカススピードを高速化することができる。
【０１９８】
また、ブレ補正では、ブレ補正レンズ群をシフトさせている。このブレ補正にあたっては、ブレ補正レンズ群の移動量を小さくする（移動範囲を狭くする）ことが好ましい。移動量を小さくするためには、レンズ径がより小さいレンズ群（レンズ）をブレ補正レンズ群とすることが望ましい。ブレ補正レンズ群の屈折力を負屈折力とすることで、ブレ補正レンズ群のレンズ径を小さくしやすい光学的なレイアウトを採用でき好ましい。
【０１９９】
そこで、ブレ補正レンズ群よりも物体側に正屈折力のレンズ群を配置すると共に、ブレ補正レンズ群よりも像側に正屈折力のレンズ群を配置する。このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【０２００】
なお、ブレ補正レンズ群のシフトによって、コマ収差が発生する。そのため、合焦レンズ群をブレ補正レンズ群よりも像側に配置すると、このコマ収差に対する補正効果がフォーカスにより大きく変動することになる。よって、合焦レンズ群をブレ補正レンズ群よりも像側に配置することは好ましくない。
【０２０１】
また、ブレ補正レンズ群よりも物体側に配置された正屈折力のレンズ群は、合焦レンズ群よりも像側に配置された正レンズ群でもある。このように、ブレ補正レンズ群よりも物体側に配置されたレンズ群と合焦レンズ群よりも像側に配置されたレンズ群とを共通化すると、後側レンズ群の光学的なレイアウトをシンプルにできる。
【０２０２】
また、後側レンズ群を構成する全てのレンズ群を開口絞りよりも像側に配置することで、後側レンズ群をより小径化することができる。
【０２０３】
また、合焦時に発生する収差は、主に球面収差と軸上色収差である。合焦性能の劣化を軽減するには、これらの収差の発生量を軽減することが必要である。そこで、合焦レンズ群は、少なくとも正レンズと負レンズを有することが望ましい。更に、合焦レンズ群で発生した収差は、合焦レンズ群とブレ補正レンズ群の間に配置された正屈折力のレンズ群によってリレーされる。よって、この正屈折力のレンズ群も正レンズと負レンズを有することが望ましい。
【０２０４】
また、ブレが生じた時に発生する収差は、主に、球面収差、像面湾曲及び倍率色収差である。ブレに対する補正性能の劣化を軽減するには、これらの収差の発生量を軽減することが必要である。ここで、ブレ補正レンズ群では、屈折力の負担割合が大きくなっている（屈折力が大きい）ので、収差が発生し易い。
【０２０５】
そこで、ブレ補正レンズ群を、複数のレンズと所定のレンズとで構成する。そして、複数のレンズがブレ補正レンズ群の屈折力と符号が同じ屈折力を有することで、球面収差や像面湾曲の発生を軽減することができる。さらに、所定のレンズがブレ補正レンズ群とは符号が異なる屈折力を有することで、色収差を良好に補正することができる。
【０２０６】
なお、複数のレンズを負レンズ、所定のレンズを正レンズとし、１枚の正レンズと２枚の負レンズを少なくとも有することが望ましい。
【０２０７】
また、合焦レンズ群を２枚のレンズで構成し、合焦レンズ群とブレ補正レンズ群との間に配置された正屈折力のレンズ群を２枚以下のレンズで構成し、ブレ補正レンズ群を３枚のレンズで構成することが好ましい。このようにすることで、レンズ枚数が少なく、合焦性能やブレに対する補正性能が良好なレンズ系を得ることができる。
【０２０８】
また、本実施形態のレンズ系では、以下の条件式（１５）を満足するブレ補正レンズ群を有することが好ましい。
０．８＜｜ＭＧISback×（ＭＧIS−１）｜＜５．０      （１５）
ただし、
ＭＧISは、任意の合焦状態でのブレ補正レンズ群の横倍率、
ＭＧISbackは、任意の合焦状態での、ブレ補正レンズ群と像面との間の光学系全体の横倍率、
である。
【０２０９】
条件式（１５）の下限値を下回ると、ブレ補正レンズ群のシフトによるブレ補正の効果が十分得られなくなる。条件式（１５）の上限値を上回ると、ブレ補正レンズ群における屈折力の負担割合が大きくなるので、ブレに対する補正性能の劣化が大きくなる。
【０２１０】
また、本実施形態のレンズ系では、合焦レンズ群が以下の条件式（１６）を満足することが好ましい。
１．５＜｜（ＭＧfoback）2×｛（ＭＧfo）2−１｝｜＜８．０      （１６）
ただし、    
ＭＧfoは、任意の合焦状態での合焦レンズ群の横倍率、
ＭＧfobackは、任意の合焦状態での、合焦レンズ群と像面との間の光学系全体の横倍率、
である。
【０２１１】
条件式（１６）の下限値を下回ると、合焦レンズ群の移動量が大きくなりすぎるので、レンズ系の全長の短縮が困難になる。条件式（１６）の上限値を上回ると、合焦レンズ群の位置制御が困難になるので、正確なフォーカスができなくなる。
【０２１２】
また、本実施形態のレンズ系では、前側レンズ群は、第１レンズ群と、第２レンズ群と、からなることが好ましい。
【０２１３】
レンズ系の全長を短縮するには、テレフォト構成を含むようにレンズ系を構成すると共に、テレフォト構成による作用を強めることが必要である。テレフォト構成による作用を強めるためには、最も物体側に正屈折力のレンズ群を配置し、その像側に負屈折力のレンズ群を配置すればよい。このようにすることで、より効率的にテレフォト構成による作用を強めつつ、主に、球面収差、コマ収差及び非点収差の補正が可能になる。
【０２１４】
ここで、前側レンズ群は、物体側から像側に順に、正屈折力の第１レンズ群と負屈折力の第２レンズ群とからなる。これにより、テレフォト構成による作用が強められているので、レンズ系の全長を短縮することができる。また、このように構成することで、テレフォト構成による作用を強めつつ、主に、球面収差、コマ収差及び非点収差を良好に補正できる。
【０２１５】
また、本実施形態のレンズ系では、開口絞りは、後側レンズ群中の何れのレンズよりも物体側に配置されることが好ましい。
【０２１６】
このようにすることで、開口絞りよりも像側のレンズ群においてレンズ径を小径化できる。
【０２１７】
また、本実施形態のレンズ系では、後側レンズ群は、開口絞りの直前に配置された正レンズ群を有することが好ましい。
【０２１８】
このようにすることで、開口絞りの開口径をより小さくできる。
【０２１９】
また、本実施形態のレンズ系では、後側レンズ群中の開口絞りの直前に配置された正レンズ群は単レンズであることが好ましい。
【０２２０】
このようにすることで、レンズ群を軽量化でき、また、絞りユニットも軽量化できる。
【０２２１】
また、本実施形態のレンズ系は、以下の条件式（１７）を満足することが好ましい。
０＜ＭＧG2      （１７）
ただし、
ＭＧG2は、無限遠物体合焦時の第２レンズ群の横倍率、
である。
【０２２２】
条件式（１７）の下限値を下回ると、第２レンズ群の屈折力が大きくなるので、球面収差と非点収差の補正が困難になる。また、第２レンズ群から出射する光束を発散させることになるので、後側レンズ群におけるレンズ径が大きくなる。そのため、第２レンズ群よりも像側に位置するレンズ群の小型化が困難になる。
【０２２３】
また、本実施形態のレンズ系は、以下の条件式（１８）を満足することが好ましい。
０．４＜ＤG1img／ｆ＜１．３      （１８）
ただし、
ＤG1imgは、無限遠物体合焦時における第１レンズ群の物体側レンズ面から像面までの光軸上に沿った距離、
ｆは、無限遠物体合焦時における単焦点距離レンズ系の焦点距離、
である。
【０２２４】
条件式（１８）は、レンズ系全系の焦点距離とレンズ系の全長（レンズ系の最も物体側の入射面から像面までの距離）との好ましい比を特定するものである。条件式（１８）を満足することは、レンズ系の小型化と良好な結像性能の確保の両立に有利となる。条件式（１８）を満足すると、特に、レンズ系を全画角が２８°以下、更には、２０°以下の望遠レンズ系として構成したときに、レンズ系の構成が小型化と結像性能の確保との両立のためにより好ましい構成となる。
【０２２５】
条件式（１８）の下限値を下回ることは、レンズ系の更なる短縮化を行うことを意味する。レンズ系の更なる短縮化を行おうとすると、良好な結像性能を確保するために、レンズ系の総レンズ枚数を増やしたり、特殊な硝材を使用したりしなくてはならない。よって、条件式（１８）の下限値を下回ると、使用するレンズの低減や硝材コストの低減が難しくなってくる。
【０２２６】
条件式（１８）の上限値を上回ると、レンズ系全系の焦点距離に対してレンズ系の全長が長くなるので、レンズ系の重量が大きくなりやすくなる。
【０２２７】
また、本実施形態のレンズ系では、合焦レンズ群は負屈折力を有し、後側レンズ群は、合焦レンズ群よりも像側に配置された正屈折力の像側レンズ群を有することが好ましい。
【０２２８】
レンズ系の全長の短縮を考えると、合焦レンズ群よりも物体側に位置するレンズ群の屈折力は正屈折力とし、合焦レンズ群の屈折力を負屈折力とすることが好ましい。このようにすることは、テレフォト構成による作用をより強めることになるので、レンズ系の全長の短縮に有効である。また、このような構成にすると、光線が徐々に収束している位置に合焦レンズ群を配置できるため、合焦レンズ群においてレンズ径を小径化できる。その結果、フォーカスユニットの小型化と軽量化が可能になる。
【０２２９】
また、このような構成にすると、合焦レンズ群の屈折力を大きくしても、合焦レンズ群を通過した後の光線の発散を少なくできる。よって、フォーカス感度を高めつつ、後側レンズ群全体を小径化できる。そして、後側レンズ群全体の小径化と合焦時の合焦レンズ群の移動量をより少なくできることで、フォーカスユニットの小型化と軽量化が更に可能となる。
【０２３０】
また、合焦レンズ群よりも像側に正レンズ群を配置することで、フォーカス感度をより容易に高めることができる。
【０２３１】
また、本実施形態のレンズ系では、前側レンズ群は全体で正屈折力を有し、合焦レンズ群は負屈折力を有することが好ましい。
【０２３２】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０２３３】
また、合焦レンズ群の屈折力を負屈折力とすることで、主点をより物体側に近づける作用を強めることができる。その結果、レンズ系の全長短縮がより容易となる。
【０２３４】
また、本実施形態のレンズ系では、絞りユニットは、レンズを有していないことが好ましい。
【０２３５】
このようにすることで、前側レンズ群と後側レンズ群の間での製造誤差（チルト・シフト）の影響を減らすことができる。
【０２３６】
また、本実施形態のレンズ系では、絞りユニットは、後側レンズ群の最も物体側に配置されていることが好ましい。
【０２３７】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０２３８】
ここで、開口絞りは、後側レンズ群を構成する要素の一つとみなすことや、前側レンズ群や後側レンズ群とは独立した要素とみなすことができる。後者の場合、開口絞りは絞りユニットを構成する要素になる。
【０２３９】
そこで、絞りユニットを独立した構成物とした場合、絞りユニットは、後側レンズ群の最も物体側に配置することが好ましい。あるいは、絞りユニットは、前側レンズ群の直後に配置することが好ましい。このようにすることで、絞りユニット（開口絞り）よりも像側のレンズ群において径を小径化できる。
【０２４０】
また、このようにすると、絞りユニットは、前側レンズ群と後側レンズ群との間に配置されることになる。この場合も、開口絞りは前側レンズ群と後側レンズ群との間に配置されることになるので、開口絞りよりも像側のレンズ群においてレンズ径を小径化できる。
【０２４１】
また、本実施形態のレンズ系では、絞りユニットは開口絞り位置よりも物体側のみに正屈折力のレンズ群を有し、正屈折力のレンズ群は開口絞りに近接して配置されていることが好ましい。
【０２４２】
上述のように、絞りユニットがレンズ群を有さない場合、前側レンズ群と後側レンズ群と間での製造誤差（チルト・シフト）の影響を減らすことができる。これに対して、絞りユニットが開口絞りの物体側に正屈折力のレンズ群を有することで、開口絞りの開口径をより小さくできる。
【０２４３】
更には、正屈折力の群は正レンズ１枚で構成することが好ましい。このようにすることで、レンズ群を軽量化できる。
【０２４４】
なお、単焦点距離レンズ系は、光軸に沿って物体側から像側に順に、正屈折力の前側レンズ群と、開口絞りを含む後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まず、後側レンズ群は、合焦時以外に光軸方向に移動するレンズを含まず、上述の条件式（１）、（３）を満足しても良い。
【０２４５】
なお、単焦点距離レンズ系を、光軸に沿って物体側から像側に順に、開口絞りを含む前側レンズ群と、後側レンズ群と、を有し、光軸上に他のレンズ群を含まず、後側レンズ群は、負屈折力の合焦レンズ群を有し、合焦レンズ群は、開口絞りよりも像側に配置され、且つ無限遠物体から近距離物体への合焦時に光軸に沿って移動し、前側レンズ群は、光軸方向に移動するレンズを含まない構成にしても良い。そして、この構成において、必要に応じて、上述した好ましい実施形態の構成を備えるようにしても良く、また、条件式を満足するようにしても良い。
【０２４６】
また、本実施形態のレンズ系では、開口絞りは第２レンズ群よりも像側に配置されていることが好ましい。
【０２４７】
このようにすることで、開口絞りよりも像側のレンズ群においてレンズ径を小型化できる。
【０２４８】
また、本実施形態のレンズ系では、像側レンズ群は、正レンズと、負レンズと、を有することが好ましい。
【０２４９】
また、本実施形態のレンズ系では、後側レンズ群は、合焦レンズ群の直前に配置された開口絞りを有することが好ましい。
【０２５０】
このようにすることで、開口絞りよりも像側のレンズ群においてレンズ径を小径化できる。
【０２５１】
また、本実施形態のレンズ系では、後側レンズ群は、正屈折力の像側レンズ群を有し、像側レンズ群は、合焦レンズ群よりも像側に配置されていることが好ましい。
【０２５２】
また、本実施形態のレンズ系では、後側レンズ群は、後側レンズ群中の何れのレンズよりも物体側に配置された開口絞りを有することが好ましい。
【０２５３】
また、本実施形態のレンズ系では、後側レンズ群は、開口絞りと、開口絞りの直前に配置された正折力のレンズ群と、を有することが好ましい。
【０２５４】
このようにすることで、開口絞りの開口径をより小さくできる。
【０２５５】
また、本実施形態のレンズ系では、後側レンズ群中の開口絞りの直前に配置された正屈折力のレンズ群は１つの単レンズで構成されていることが好ましい。
【０２５６】
また、本実施形態のレンズ系では、合焦レンズ群は、絞りユニットの直後に配置されていることが好ましい。
【０２５７】
また、本実施形態のレンズ系では、合焦レンズ群の屈折力は負屈折力であり、合焦レンズ群は絞りユニットの直後に配置されていることが好ましい。
【０２５８】
また、合焦レンズ群を絞りユニットのすぐ像側に配置することで、合焦レンズ群の倍率を高めることが容易となり、フォーカス感度をより高めることができる。その結果、フォーカスユニットの小型化と軽量化が更に可能になる。
【０２５９】
また、本実施形態のレンズ系では、絞りユニットは、後側レンズ群の最も物体側に配置されていることが好ましい。あるいは、本実施形態のレンズ系では、絞りユニットは、前側レンズ群の直後に配置されていることが好ましい。
【０２６０】
また、本実施形態のレンズ系は、以下の条件式（１９）を満足することが好ましい。
０≦｜ｆ／ｒG2b｜＜７．０      （１９）
ただし、
ｆは、無限遠物体合焦時における単焦点距離レンズ系の焦点距離、
ｒG2bは、合焦レンズ群の物体側直前のレンズ面の近軸曲率半径、
である。
【０２６１】
条件式（１９）の上限値を上回ると、合焦レンズ群の物体側直前のレンズ面において、球面収差やコマ収差の発生量が増える。これらの収差に対する補正の影響が合焦レンズ群に及ぶので、合焦時に安定した結像性能が確保できなくなる。なお、合焦レンズ群の物体側直前のレンズ面は、合焦レンズ群よりも物体側に位置するレンズ面で、且つ、合焦レンズ群に対して最も近くに位置するレンズ面である。
【０２６２】
また、本実施形態のレンズ系は、以下の条件式（２０）を満足することが好ましい。
０．５≦Φfo／ΦLa≦０．９２      （２０）
ただし、
Φfoは、合焦レンズ群を構成するレンズの有効口径のうち、最大となる有効口径、
ΦLaは、単焦点距離レンズ系の中で最も像側に位置するレンズにおける最大有効口径、
である。
【０２６３】
条件式（２０）の下限値を上回ると、合焦レンズ群の屈折力が大きくなることを抑制し、合焦レンズ群を構成するレンズの枚数を少なくすることができる。その結果、合焦レンズ群を軽量化することができる。条件式（２０）の上限値を下回ると、合焦レンズ群の屈折力が小さくなり過ぎることを抑制し、合焦レンズ群の径を小さくできる。また、合焦時の合焦レンズ群の移動量を小さくできる。この結果、フォーカスユニットを小型化し、光学系の全長を短くすると共に、鏡枠の径を小さくすることができる。
【０２６４】
なお、合焦レンズ群が複数のレンズから構成される場合、Φfoは、各レンズの面の有効口径のうちで、最大の有効口径である。また、最も像側に位置するレンズは、物体側面と像側面を有する。よって、ΦLaは、物体側面の有効口径と像側面の有効口径のうち、最大の有効口径である。
【０２６５】
また、本実施形態のレンズ系は、以下の条件式（２１）を満足することが好ましい。
０．０２３≦Ｄsfo／ＤLTL≦０．１１０      （２１）
ただし、
Ｄsfoは、開口絞りから合焦レンズ群の最も物体側のレンズ面までの光軸上の距離、
ＤLTLは、単焦点距離レンズ系の最も物体側のレンズ面から像面までの光軸上の距離であって、
いずれの距離も無限遠物体合焦時の距離、
である。
【０２６６】
本実施形態のレンズ系では、開口絞りの前に位置するレンズ群の正屈折力を使って、光束を収束させている。条件式（２１）の下限値を上回ると、この光束を収束させる効果を十分得ることができる。そのため、合焦レンズ群の径が大きくなることを抑制できる。条件式（２１）の上限値を下回ると、光学系の全長を短縮することができる。
【０２６７】
また、本実施形態のレンズ系は、以下の条件式（２２）を満足することが好ましい。
０．２≦Ｄsfo／φs≦０．８      （２２）
ただし、
Ｄsfoは、開口絞りから合焦レンズ群の最も物体側のレンズ面までの光軸上の距離であって、無限遠物体合焦時の距離、
φsは、開口絞りの最大直径、
である。
【０２６８】
本実施形態のレンズ系では、開口絞りの前に位置するレンズ群の正屈折力を使って、光束を収束させている。条件式（２２）の下限値を上回ると、この光束を収束させる効果を十分得ることができる。そのため、合焦レンズ群の径を小さくすることができる。条件式（２２）の上限値を下回ると、光学系の全長を短縮することができる。
【０２６９】
また、本実施形態のレンズ系では、合焦レンズ群より像側に位置する光学系は、少なくとも正レンズ２枚と負レンズ１枚を有することが好ましい。
【０２７０】
合焦レンズ群の小径化を行うと、合焦レンズ群の屈折力が大きくなる。そのため、合焦レンズ群では、主に球面収差、軸上色収差及び非点収差の発生量が増加する傾向となる。ここで、合焦レンズ群より像側に位置する光学系は、正屈折力を有している。フォーカス時におけるこれらの収差変動を抑えるには、合焦レンズ群より像側の光学系でこれらの収差の発生量を小さくしておくことが好ましい。
【０２７１】
合焦レンズ群より像側に位置する光学系を、１枚の正レンズと１枚の負レンズで構成する。この時、共に、負レンズのアッベ数を正レンズのアッベ数よりも小さくすることで、色収差と球面収差の発生を抑えることが可能になる。そして、更に正レンズを一枚使うことで、非点収差の発生を容易に抑えることが可能になる。なお、これらの収差の発生をより小さくするには、合焦レンズ群より像側に位置する光学系は、少なくとも２枚の正レンズを有することが好ましい。
【０２７２】
また、本実施形態の撮像装置は、光学系と、撮像面を持ち且つ光学系により撮像面上に形成された像を電気信号に変換する撮像素子と、を有し、光学系が上述の実施形態のいずれか一つの単焦点距離レンズ系であることを特徴とする。
【０２７３】
機動性に優れると共に、解像度の高い撮影が行える撮像装置を実現できる。
【０２７４】
上述の各構成は、複数を同時に満足することがより好ましい。
【０２７５】
また、各条件式について、下限値、上限値の何れかまたは双方を限定することで、その機能をより確実にできるので好ましい。
条件式（１）について、
下限値を０．０８、更には０．１とすることがより好ましい。
上限値を０．３、更には０．２５とすることがより好ましい。
条件式（２）について、
下限値を−１．５、更には−１．０とすることがより好ましい。
上限値を−０．１、更には−０．１２とすることがより好ましい。
条件式（３）について、
下限値を０．１、更には０．１５とすることがより好ましい。
上限値を０．５、更には０．３４とすることがより好ましい。
条件式（５）について、
下限値を２．０とすることがより好ましい。
上限値を４．５とすることがより好ましい。
条件式（７）について、
下限値を０．３５とすることがより好ましい。
上限値を１．０とすることがより好ましい。
条件式（９）について、
下限値を−４．０、更には−３．５とすることがより好ましい。
上限値を−１．７、更には−１．８とすることがより好ましい。
条件式（１０）について、
下限値を−６．０、更には−３．５とすることがより好ましい。
上限値を−１．９、更には−２．０とすることがより好ましい。
条件式（１４）について、
下限値を６、更には１１とすることがより好ましい。
上限値を３０、更には２７とすることがより好ましい。
条件式（１５）について、
下限値を１．３とすることがより好ましい。
上限値を３．５とすることがより好ましい。
条件式（１６）について、
下限値を２．５とすることがより好ましい。
上限値を６．５とすることがより好ましい。
条件式（１８）について、
下限値を０．５とすることがより好ましい。
上限値を１．０とすることがより好ましい。
条件式（１９）について、
上限値を６．５、更には４．０、更には２．０とすることがより好ましい。
条件式（２０）について、
下限値を０．６とすることがより好ましい。
上限値を０．８８、更には０．８５とすることがより好ましい。
条件式（２１）について、
下限値を０．０２５、更には０．０４とすることがより好ましい。
上限値を０．１、更には０．０９０とすることがより好ましい。
条件式（２２）について、
下限値を０．３、更には０．４５とすることがより好ましい。
上限値を０．７５、０．７とすることがより好ましい。
【０２７６】
なお、上述の単焦点距離レンズ系や撮像装置は、複数の構成を同時に満足してもよい。このようにすることが、良好な単焦点距離レンズ系や撮像装置を得る上で好ましい。また、好ましい構成の組み合わせは任意である。また、各条件式について、より限定した条件式の数値範囲の上限値あるいは下限値のみを限定しても構わない。
【０２７７】
以下に、本発明に係る単焦点距離レンズ系の実施例を、図面に基づいて詳細に説明する。なお、この実施例によりこの発明が限定されるものではない。
【０２７８】
以下、単焦点距離レンズ系の実施例１〜７について説明する。実施例１〜７の無限遠物体合焦時のレンズ断面図を、それぞれ図１〜図４に示す。いずれも、無限遠物体合焦時のレンズ断面図である。
【０２７９】
レンズ断面図において、第１レンズ群はＧ１、第２レンズ群はＧ２、開口絞り（明るさ絞り）はＳ、第３レンズ群はＧ３、第４レンズ群はＧ４、第５レンズ群はＧ５、第６レンズ群はＧ６、第７レンズ群はＧ７、像面はＩで示してある。なお、図示しないが、最終レンズ群と像面Ｉとの間に、ローパスフィルタを構成する平行平板や、電子撮像素子のカバーガラスが配置されていても良い。なお、平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。また、像面Ｉには、撮像素子が配置されている。
【０２８０】
各実施例では、単焦点距離レンズ系は、物体側から像側に順に、前側レンズ群ＧＦと、後側レンズ群ＧＲと、で構成されている。ここで、後側レンズ群ＧＲは開口絞りＳを含んでいる。しかしながら、単焦点距離レンズ系を、物体側から像側に順に、前側レンズ群ＧＦと、絞りユニットと、後側レンズ群ＧＲと、で構成しても良い。このような構成の場合、実施例１〜３、５、７のレンズ系では、絞りユニットは開口絞りＳのみで構成され、実施例４のレンズ系では、絞りユニットは第３レンズ群Ｇ３と開口絞りとで構成されることになる。
【０２８１】
実施例１の単焦点距離レンズ系は、図１（ａ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１５は開口絞り、ｒ２３は仮想面である。
【０２８２】
前側レンズ群ＧＦは、物体側から像側に順に、正屈折力の第１レンズ群Ｇ１と、負屈折力の第２レンズ群Ｇ２と、で構成されている。後側レンズ群ＧＲは、負屈折力の第３レンズ群Ｇ３と、正屈折力の第４レンズ群Ｇ４と、負屈折力の第５レンズ群Ｇ５と、正屈折力の第６レンズ群Ｇ６と、で構成されている。
【０２８３】
第１レンズ群Ｇ１は、物体側に凸面を向けた正メニスカスレンズＬ１と、両凸正レンズＬ２と、物体側に凸面を向けた負メニスカスレンズＬ３と、物体側に凸面を向けた負メニスカスレンズＬ４と、両凸正レンズＬ５と、で構成されている。ここで、負メニスカスレンズＬ４と両凸正レンズＬ５とが接合されている。
【０２８４】
また、第１−１副レンズ群は、正メニスカスレンズＬ１と、両凸正レンズＬ２と、負メニスカスレンズＬ３と、で構成されている。第１−２副レンズ群は、負メニスカスレンズＬ４と、両凸正レンズＬ５と、で構成されている。
【０２８５】
第２レンズ群Ｇ２は、両凸正レンズＬ６と、両凹負レンズＬ７と、両凹負レンズＬ８と、で構成されている。ここで、両凸正レンズＬ６と両凹負レンズＬ７とが接合されている。
【０２８６】
第３レンズ群Ｇ３は、両凸正レンズＬ９と、両凹負レンズＬ１０と、で構成されている。第３レンズ群Ｇ３は合焦レンズ群であって、無限遠物体から近距離物体への合焦時に、光軸に沿って像側へ移動する。
【０２８７】
第４レンズ群Ｇ４は、物体側に凸面を向けた負メニスカスレンズＬ１１と、両凸正レンズＬ１２と、で構成されている。ここで、負メニスカスレンズＬ１１と両凸正レンズＬ１２とが接合されている。
【０２８８】
第５レンズ群Ｇ５は、両凸正レンズＬ１３と、両凹負レンズＬ１４と、両凹負レンズＬ１５と、で構成されている。第５レンズ群Ｇ５はブレ補正レンズ群であって、ブレ補正時、光軸方向とは異なる方向、例えば、光軸と直交する方向に移動する。
【０２８９】
第６レンズ群Ｇ６は、両凸正レンズＬ１６と、両凸正レンズＬ１７と、で構成されている。
【０２９０】
実施例２の単焦点距離レンズ系は、図１（ｂ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１４は開口絞りで、仮想面はない。
【０２９１】
前側レンズ群ＧＦは、物体側から像側に順に、正屈折力の第１レンズ群Ｇ１と、負屈折力の第２レンズ群Ｇ２と、で構成されている。後側レンズ群ＧＲは、負屈折力の第３レンズ群Ｇ３と、正屈折力の第４レンズ群Ｇ４と、負屈折力の第５レンズ群Ｇ５と、正屈折力の第６レンズ群Ｇ６と、で構成されている。
【０２９２】
第１レンズ群Ｇ１は、物体側に凸面を向けた正メニスカスレンズＬ１と、物体側に凸面を向けた正メニスカスレンズＬ２と、物体側に凸面を向けた負メニスカスレンズＬ３と、物体側に凸面を向けた負メニスカスレンズＬ４と、物体側に凸面を向けた正メニスカスレンズＬ５と、で構成されている。ここで、正メニスカスレンズＬ２と負メニスカスレンズＬ３とが接合されている。また、負メニスカスレンズＬ４と正メニスカスレンズＬ５とが接合されている。
【０２９３】
また、第１−１副レンズ群は、正メニスカスレンズＬ１と、正メニスカスレンズＬ２と、負メニスカスレンズＬ３と、で構成されている。第１−２副レンズ群は、負メニスカスレンズＬ４と、正メニスカスレンズＬ５と、で構成されている。
【０２９４】
第２レンズ群Ｇ２は、両凸正レンズＬ６と、両凹負レンズＬ７と、両凹負レンズＬ８と、で構成されている。ここで、両凸正レンズＬ６と両凹負レンズＬ７とが接合されている。
【０２９５】
第３レンズ群Ｇ３は、像側に凸面を向けた正メニスカスレンズＬ９と、両凹負レンズＬ１０と、で構成されている。第３レンズ群Ｇ３は合焦レンズ群であって、無限遠物体から近距離物体への合焦時に、光軸に沿って像側へ移動する。
【０２９６】
第４レンズ群Ｇ４は、両凸正レンズＬ１１と、像側に凸面を向けた負メニスカスレンズＬ１２と、両凸正レンズＬ１３と、で構成されている。第４レンズ群Ｇ４はブレ補正レンズ群であって、ブレ補正時、光軸方向とは異なる方向、例えば、光軸と直交する方向に移動する。
【０２９７】
第５レンズ群Ｇ５は、両凸正レンズＬ１４と、両凹負レンズＬ１５と、で構成されている。
【０２９８】
第６レンズ群Ｇ６は、像側に凸面を向けた正メニスカスレンズＬ１６で構成されている。
【０２９９】
実施例３の単焦点距離レンズ系は、図２（ａ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１８は開口絞り、ｒ９、ｒ１３、ｒ１７及びｒ２６は仮想面である。
【０３００】
前側レンズ群ＧＦは、物体側から像側に順に、正屈折力の第１レンズ群Ｇ１と、負屈折力の第２レンズ群Ｇ２と、で構成されている。後側レンズ群ＧＲは、負屈折力の第３レンズ群Ｇ３と、正屈折力の第４レンズ群Ｇ４と、負屈折力の第５レンズ群Ｇ５と、正屈折力の第６レンズ群Ｇ６と、で構成されている。
【０３０１】
第１レンズ群Ｇ１は、物体側に凸面を向けた正メニスカスレンズＬ１と、両凸正レンズＬ２と、両凹負レンズＬ３と、物体側に凸面を向けた負メニスカスレンズＬ４と、両凸正レンズＬ５と、で構成されている。ここで、両凸正レンズＬ２と両凹負レンズＬ３とが接合されている。また、負メニスカスレンズＬ４と両凸正レンズＬ５とが接合されている。
【０３０２】
また、第１−１副レンズ群は、正メニスカスレンズＬ１と、両凸正レンズＬ２と、両凹負レンズＬ３と、で構成されている。第１−２副レンズ群は、負メニスカスレンズＬ４と、両凸正レンズＬ５と、で構成されている。
【０３０３】
第２レンズ群Ｇ２は、両凸正レンズＬ６と、両凹負レンズＬ７と、両凸正レンズＬ８と、両凹負レンズＬ９と、で構成されている。ここで、両凸正レンズＬ６と両凹負レンズＬ７とが接合されている。また、両凸正レンズＬ８と両凹負レンズＬ９とが接合されている。
【０３０４】
第３レンズ群Ｇ３は、両凸正レンズＬ１０と、両凹負レンズＬ１１と、で構成されている。第３レンズ群Ｇ３は合焦レンズ群であって、無限遠物体から近距離物体への合焦時に、光軸に沿って像側へ移動する。
【０３０５】
第４レンズ群Ｇ４は、物体側に凸面を向けた負メニスカスレンズＬ１２と、両凸正レンズＬ１３と、で構成されている。ここで、負メニスカスレンズＬ１２と両凸正レンズＬ１３とが接合されている。
【０３０６】
第５レンズ群Ｇ５は、両凸正レンズＬ１４と、両凹負レンズＬ１５と、両凸正レンズＬ１６と、で構成されている。第５レンズ群Ｇ５はブレ補正レンズ群であって、ブレ補正時、光軸方向とは異なる方向、例えば、光軸と直交する方向に移動する。
【０３０７】
第６レンズ群Ｇ６は、両凸正レンズＬ１７と、両凸正レンズＬ１８と、像側に凸面を向けた負メニスカスレンズＬ１９と、で構成されている。ここで、両凸正レンズＬ１８と負メニスカスレンズＬ１９が接合されている。
【０３０８】
実施例４の単焦点距離レンズ系は、図２（ｂ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１６は開口絞り、ｒ９、１３及びｒ２４は仮想面である。
【０３０９】
前側レンズ群ＧＦは、物体側から像側に順に、正屈折力の第１レンズ群Ｇ１と、負屈折力の第２レンズ群Ｇ２と、で構成されている。後側レンズ群ＧＲは、正屈折力の第３レンズ群Ｇ３と、負屈折力の第４レンズ群Ｇ４と、正屈折力の第５レンズ群Ｇ５と、負屈折力の第６レンズ群Ｇ６と、正屈折力の第７レンズ群Ｇ７と、で構成されている。
【０３１０】
第１レンズ群Ｇ１は、物体側に凸面を向けた正メニスカスレンズＬ１と、物体側に凸面を向けた正メニスカスレンズＬ２と、物体側に凸面を向けた負メニスカスレンズＬ３と、物体側に凸面を向けた負メニスカスレンズＬ４と、物体側に凸面を向けた正メニスカスレンズＬ５と、で構成されている。ここで、正メニスカスレンズＬ２と負メニスカスレンズＬ３とが接合されている。また、負メニスカスレンズＬ４と正メニスカスレンズＬ５とが接合されている。
【０３１１】
また、第１−１副レンズ群は、正メニスカスレンズＬ１と、正メニスカスレンズＬ２と、負メニスカスレンズＬ３と、で構成されている。第１−２副レンズ群は、負メニスカスレンズＬ４と、正メニスカスレンズＬ５と、で構成されている。
【０３１２】
第２レンズ群Ｇ２は、両凸正レンズＬ６と、両凹負レンズＬ７と、で構成されている。ここで、両凸正レンズＬ６と両凹負レンズＬ７とが接合されている。
【０３１３】
第３レンズ群Ｇ３は、両凸正レンズＬ８で構成されている。両凸正レンズＬ８は開口絞りＳと共に、絞りユニットを形成している。
【０３１４】
第４レンズ群Ｇ４は、両凸正レンズＬ９と、両凹負レンズＬ１０と、で構成されている。第４レンズ群Ｇ４は合焦レンズ群であって、無限遠物体から近距離物体への合焦時に、光軸に沿って像側へ移動する。
【０３１５】
第５レンズ群Ｇ５は、物体側に凸面を向けた負メニスカスレンズＬ１１と、物体側に凸面を向けた正メニスカスレンズＬ１２と、で構成されている。ここで、負メニスカスレンズＬ１２と正メニスカスレンズＬ１２とが接合されている。
【０３１６】
第６レンズ群Ｇ６は、両凸正レンズＬ１３と、両凹負レンズＬ１４と、両凸正レンズＬ１５と、で構成されている。第６レンズ群Ｇ６はブレ補正レンズ群であって、ブレ補正時、光軸方向とは異なる方向、例えば、光軸と直交する方向に移動する。
【０３１７】
第７レンズ群Ｇ７は、両凸正レンズＬ１６と、両凸正レンズＬ１７と、像側に凸面を向けた負メニスカスレンズＬ１８と、で構成されている。ここで、両凸正レンズＬ１７と負メニスカスレンズＬ１８が接合されている。
【０３１８】
実施例５の単焦点距離レンズ系は、図３（ａ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１３は開口絞りで、仮想面はない。
【０３１９】
前側レンズ群ＧＦは、物体側から像側に順に、正屈折力の第１レンズ群Ｇ１と、負屈折力の第２レンズ群Ｇ２と、で構成されている。後側レンズ群ＧＲは、正屈折力の第３レンズ群Ｇ３と、負屈折力の第４レンズ群Ｇ４と、負屈折力の第５レンズ群Ｇ５と、正屈折力の第６レンズ群Ｇ６と、で構成されている。
【０３２０】
第１レンズ群Ｇ１は、両凸正レンズＬ１と、両凸正レンズＬ２と、両凹負レンズＬ３と、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０３２１】
また、第１−１副レンズ群は、両凸正レンズＬ１と、両凸正レンズＬ２と、両凹負レンズＬ３と、で構成されている。第１−２副レンズ群は、負メニスカスレンズＬ４と、正メニスカスレンズＬ５と、で構成されている。
【０３２２】
第２レンズ群Ｇ２は、像側に凸面を向けた正メニスカスレンズＬ６と、両凹負レンズＬ７と、で構成されている。ここで、正メニスカスレンズＬ６と両凹負レンズＬ７とが接合されている。
【０３２３】
第３レンズ群Ｇ３は、物体側に凸面を向けた負メニスカスレンズＬ８と、両凸正レンズＬ９と、で構成されている。
【０３２４】
第４レンズ群Ｇ４は、物体側に凸面を向けた負メニスカスレンズＬ１０と、物体側に凸面を向けた正メニスカスレンズＬ１１と、で構成されている。第４レンズ群Ｇ４は合焦レンズ群であって、無限遠物体から近距離物体への合焦時に、光軸に沿って像側へ移動する。
【０３２５】
第５レンズ群Ｇ５は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０３２６】
第６レンズ群Ｇ６は、両凸正レンズＬ１４と、像側に凸面を向けた負メニスカスレンズＬ１５と、で構成されている。ここで、両凸正レンズＬ１４と負メニスカスレンズＬ１５とが接合されている。
【０３２７】
実施例６の単焦点距離レンズ系は、図３（ｂ）に示すように、物体側から像側に順に、正屈折力の前側レンズ群ＧＦと、負屈折力の後側レンズ群ＧＲと、で構成されている。後側レンズ群ＧＲは開口絞りを含んでいる。なお、ｒ１５は開口絞り、ｒ２３は仮想面である。
【０３２８】
前側レンズ群ＧＦは、物体側から像側に順に、正屈折力の第１レンズ群Ｇ１と、負屈折力の第２レンズ群Ｇ２と、で構成されている。後側レンズ群ＧＲは、負屈折力の第３レンズ群Ｇ３と、正屈折力の第４レンズ群Ｇ４と、負屈折力の第５レンズ群Ｇ５と、正屈折力の第６レンズ群Ｇ６と、で構成されている。
【０３２９】
第１レンズ群Ｇ１は、物体側に凸面を向けた正メニスカスレンズＬ１と、両凸正レンズＬ２と、物体側に凸面を向けた負メニスカスレンズＬ３と、物体側に凸面を向けた負メニスカスレンズＬ４と、両凸正レンズＬ５と、で構成されている。ここで、負メニスカスレンズＬ４と両凸正レンズＬ５とが接合されている。
【０３３０】
また、第１−１副レンズ群は、正メニスカスレンズＬ１と、両凸正レンズＬ２と、負メニスカスレンズＬ３と、で構成されている。第１−２副レンズ群は、負メニスカスレンズＬ４と、両凸正レンズＬ５と、で構成されている。
【０３３１】
第２レンズ群Ｇ２は、両凸正レンズＬ６と、両凹負レンズＬ７と、両凹負レンズＬ８と、で構成されている。ここで、両凸正レンズＬ６と両凹負レンズＬ７とが接合されている。
【０３３２】
第３レンズ群Ｇ３は、両凸正レンズＬ９と、両凹負レンズＬ１０と、で構成されている。第３レンズ群Ｇ３は合焦レンズ群であって、無限遠物体から近距離物体への合焦時に、光軸に沿って像側へ移動する。
【０３３３】
第４レンズ群Ｇ４は、物体側に凸面を向けた負メニスカスレンズＬ１１と、両凸正レンズＬ１２と、で構成されている。ここで、負メニスカスレンズＬ１１と両凸正レンズＬ１２とが接合されている。
【０３３４】
第５レンズ群Ｇ５は、両凸正レンズＬ１３と、両凹負レンズＬ１４と、両凹負レンズＬ１５と、で構成されている。第５レンズ群Ｇ５はブレ補正レンズ群であって、ブレ補正時、光軸方向とは異なる方向、例えば、光軸と直交する方向に移動する。
【０３３５】
第６レンズ群Ｇ６は、両凸正レンズＬ１６と、両凸正レンズＬ１７と、で構成されている。
【０３３６】
実施例７の単焦点距離レンズ系は、図４に示すように、物体側から像側に順に、正屈折力の前側レンズ群ＧＦと、正屈折力の後側レンズ群ＧＲと、で構成されている。前側レンズ群ＧＦは開口絞りを含んでいる。
【０３３７】
前側レンズ群ＧＦは、物体側から像側に順に、正屈折力の第１レンズ群Ｇ１と、開口絞りＳと、負屈折力の第２レンズ群Ｇ２と、で構成されている。後側レンズ群ＧＲは、正屈折力の第３レンズ群Ｇ３と、負屈折力の第４レンズ群Ｇ４と、正屈折力の第５レンズ群Ｇ５と、で構成されている。
【０３３８】
第１レンズ群Ｇ１は、両凸正レンズＬ１と、両凸正レンズＬ２と、両凹負レンズＬ３と、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０３３９】
また、第１−１副レンズ群は、両凸正レンズＬ１と、両凸正レンズＬ２と、両凹負レンズＬ３と、で構成されている。第１−２副レンズ群は、負メニスカスレンズＬ４と、正メニスカスレンズＬ５と、で構成されている。
【０３４０】
第２レンズ群Ｇ２は、両凸正レンズＬ６と、両凹負レンズＬ７と、で構成されている。ここで、両凸正レンズＬ６と両凹負レンズＬ７とが接合されている。
【０３４１】
第３レンズ群Ｇ３は、両凸正レンズＬ８で構成されている。
【０３４２】
第４レンズ群Ｇ４は、物体側に凸面を向けた負メニスカスレンズＬ９と、物体側に凸面を向けた正メニスカスレンズ１０と、両凹負レンズＬ１１と、で構成されている。ここで、負メニスカスレンズＬ９と正メニスカスレンズＬ１０とが接合されている。第４レンズ群Ｇ４は合焦レンズ群であって、無限遠物体から近距離物体への合焦時に、光軸に沿って像側へ移動する。
【０３４３】
第５レンズ群Ｇ５は、両凸正レンズＬ１２で構成されている。
【０３４４】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、ｆは全系の焦点距離、ＦＮＯ．はＦナンバー、ωは半画角、ＩＨは像高、ＦＢはバックフォーカス、全長は、単焦点距離レンズ系の最も物体側のレンズ面から最も像側のレンズ面までの距離である。なお、ＦＢ（バックフォーカス）は、レンズ最終面から近軸像面までの距離を空気換算して表したものである。また、各数値の長さの単位はｍｍ、角度の単位は°（度）である。
【０３４５】
また、無限遠は無限遠物体合焦時、近距離は近距離物体合焦時を表している。ここで、近距離の欄における数値は、至近距離物体合焦状態での値である。至近距離物体合焦状態での具体的な物像間距離は、実施例１、２、３、４、５、７では１．４ｍ、実施例６では２ｍである。
【０３４６】
数値実施例１
単位  ｍｍ
面データ
面番号               r              d             nd              νd
1                 132.985          6.746        1.48749          70.23
2                 833.805          6.500
3                  56.824         13.500        1.49700          81.54
4              -18692.587          0.100
5                2292.831          2.000        1.83481          42.71
6                 194.055         22.000
7                  58.436          2.000        1.79952          42.22
8                  31.339         11.474        1.43875          94.93
9                -283.074          1.600
10                114.275          6.289        1.75520          27.51
11                -67.671          2.000        1.91082          35.25
12                130.501          2.322
13               -202.441          1.500        1.78590          44.20
14               1233.704         16.000
15（絞り）           ∞             可変  
16                282.863          2.200        1.84666          23.78
17               -124.870          0.100
18               -110.471          0.900        1.80139          45.45
19                 38.312           可変
20                 39.801          1.000        1.92286          18.90
21                 22.065          4.963        1.58267          46.42
22               -136.632          0.100
23                   ∞            3.000
24                112.013          3.000        1.84666          23.78
25                -47.684          0.100
26                -51.871          0.900        1.80400          46.57
27                 24.988          5.044
28                -37.965          0.800        1.69680          55.53
29                 77.357          3.300
30                 95.000          3.393        1.72342          37.95
31                -82.082          0.100
32                 55.512          5.500        1.51633          64.14
33                -51.010
像面                 ∞
各種データ
無限遠         近距離
ｆ               293.568        211.066
ＦＮＯ．           4.059          2.907
２ω（画角）       4.3
ＩＨ              11.15          11.15
ＦＢ              39.180         39.180
全長             198.6775       198.6775
d15                6.000         24.855
d19               25.067          6.212
【０３４７】
数値実施例２
単位  ｍｍ
面データ
面番号               r              d             nd              νd
1                 129.053          6.500        1.48749          70.23
2                 524.363          9.000
3                  54.665         11.500        1.49700          81.54
4                 227.526          2.000        1.83481          42.71
5                 127.067         22.000
6                  65.938          2.000        1.80100          34.97
7                  30.235         11.510        1.49700          81.54
8                 333.862         13.109
9                 101.957          6.630        1.84666          23.78
10                -55.370          2.000        1.80100          34.97
11                150.959          1.850
12               -226.650          1.500        1.80000          29.84
13                137.511         18.804
14（絞り）           ∞             可変
15               -172.777          2.409        1.84666          23.78
16                -40.436          0.100
17                -42.309          0.900        1.77250          49.60
18                 40.347           可変
19                 68.843          3.787        1.88300          40.76
20               -129.270          0.954
21                -70.637          1.000        1.92286          18.90
22              -1887.125          0.100
23                 65.708          4.000        1.60311          60.64
24               -108.573          2.500
25                123.098          3.866        1.71736          29.52
26                -41.995          0.100
27                -41.898          1.000        1.88300          40.76
28                 43.554         16.332
29                -94.313          2.610        1.60342          38.03
30                -44.999
像面                 ∞
各種データ
無限遠         近距離
ｆ               293.991        214.486
ＦＮＯ．           3.794          2.747
２ω（画角）       4.3
ＩＨ              11.15          11.15
ＦＢ              38.733         38.733
全長             228.5778       228.5778
d14                6.000         33.785
d18               35.785          8.000
【０３４８】
数値実施例３
単位  ｍｍ
面データ
面番号               r              d             nd              νd
1                  80.000          6.500        1.48749          70.23
2                 163.286          8.700
3                  67.218         12.000        1.48749          70.23
4               -1613.765          2.000        1.77250          49.60
5                 219.580         26.200
6                  65.771          2.000        1.80440          39.59
7                  35.383         11.500        1.43875          94.93
8                -297.854          1.000
9                    ∞            0.100
10                 46.341          7.300        1.43875          94.93
11               -244.075          2.000        1.75500          52.32
12                 86.236          1.600
13                   ∞            1.000
14               -155.994          2.000        1.83400          37.16
15                 43.082          6.005        1.74000          28.30
16               -186.865          0.000
17                   ∞           10.058
18（絞り）           ∞             可変
19                151.273          2.200        1.84666          23.78
20               -169.720          0.100
21               -169.720          0.900        1.80400          46.57
22                 27.611           可変  
23                 31.737          1.000        1.92286          18.90
24                 22.839          4.900        1.57135          52.95
25               -187.931          0.100
26                   ∞            3.272
27                 78.111          3.300        1.84666          23.78
28                -49.169          0.100
29                -49.169          0.900        1.77250          49.60
30                 19.331          4.379
31                -27.665          0.800        1.72916          54.68
32                188.751          3.300
33                 71.535          3.850        1.66680          33.05
34                -73.227          1.000
35                 51.022          8.100        1.53172          48.84
36                -24.541          1.500        1.92286          18.90
37                -35.734
像面                 ∞
各種データ
無限遠         近距離
ｆ               296.636        216.939
ＦＮＯ．           4.133          2.996
２ω（画角）       4.3
ＩＨ              11.45          11.45
ＦＢ              32.811         32.811
全長             205.0604       205.0604
d18               12.186         28.886
d22               20.399          3.700
【０３４９】
数値実施例４
単位  ｍｍ
面データ
面番号               r              d             nd              νd
1                 211.537          5.200        1.48749          70.23
2                2910.618         18.098
3                  65.000         11.000        1.48749          70.23
4                 588.917          2.000        1.77250          49.60
5                 212.141         31.500
6                  69.815          2.000        1.80440          39.59
7                  37.924          9.200        1.43875          94.93
8                 434.246          1.711
9                    ∞            0.100
10                 43.603          8.500        1.43875          94.93
11               -161.049          2.000        1.77250          49.60
12                 55.257          2.000
13                   ∞            9.352
14                307.448          3.000        1.80810          22.76
15               -274.895         10.557
16（絞り）           ∞             可変
17                280.313          2.600        1.83400          37.16
18                -65.868          0.100
19                -65.868          0.900        1.75500          52.32
20                 30.383           可変
21                 26.080          1.000        1.84666          23.78
22                 19.668          4.900        1.53996          59.46
23                168.839          0.100
24                   ∞            4.218
25                 97.746          3.300        1.84666          23.78
26                -40.187          0.100
27                -40.187          0.900        1.77250          49.60
28                 22.475          3.722
29                -33.295          0.800        1.72916          54.68
30                241.876          5.718
31                 52.470          5.500        1.63980          34.46
32                -54.148          3.779
33                 57.978          7.000        1.53172          48.84
34                -31.015          1.500        1.92286          18.90
35                -71.450
像面                 ∞
各種データ
無限遠         近距離
ｆ               294.032        229.457
ＦＮＯ．           4.086          3.160
２ω（画角）       4.4
ＩＨ              11.45          11.45
ＦＢ              36.300         36.300
全長             228.4685       228.4685
d16                8.545         26.113
d20               21.268          3.700
【０３５０】
数値実施例５
単位  ｍｍ
面データ
面番号               r              d             nd              νd
1                 192.006          5.529        1.48749          70.23
2                -759.266          0.479
3                  75.914         11.157        1.43875          94.93
4                -749.613          0.849
5               -1141.990          1.958        1.88300          40.76
6                 393.624         18.621
7                  69.365          1.968        1.83481          42.71
8                  43.544          9.367        1.49700          81.54
9                 346.336         20.517
10               -251.866          3.284        1.74077          27.79
11                -72.652          1.902        1.65412          39.68
12                309.545          8.777
13（絞り）           ∞            7.438
14                 98.462          1.092        1.67790          50.72
15                 29.008          0.000
16                 29.008          5.718        1.51633          64.14
17               -311.324           可変
18                252.739          0.979        1.67003          47.23
19                 22.588          0.000
20                 22.588          2.505        1.76182          26.52
21                 33.442           可変
22                 72.342          0.944        1.70154          41.24
23                 24.365          2.571        1.72825          28.46
24                 42.042         36.154
25                624.538          6.081        1.85026          32.27
26                -45.882          1.142        1.80810          22.76
27               -117.152
像面                 ∞
各種データ
無限遠         近距離
ｆ               295.915        229.691
ＦＮＯ．           4.101          3.172
２ω（画角）       4.3
ＩＨ              11.45          11.45
ＦＢ              26.611         26.611
全長             202.5992       202.5992
d17                2.105         19.275
d21               24.852          7.682
【０３５１】
数値実施例６
単位  ｍｍ
面データ
面番号               r              d             nd              νd
1                 226.165         11.472        1.48749          70.23
2                1418.036         11.054
3                  96.639         22.959        1.49700          81.54
4              -31790.114          0.170
5                3899.372          3.401        1.83481          42.71
6                 330.026         37.415
7                  99.381          3.401        1.79952          42.22
8                  53.297         19.514        1.43875          94.93
9                -481.418          2.721
10                194.345         10.696        1.75520          27.51
11               -115.087          3.402        1.91082          35.25
12                221.940          3.949
13               -344.287          2.551        1.78590          44.20
14               2098.137         27.211
15（絞り）           ∞             可変
16                481.059          3.741        1.84666          23.78
17               -212.365          0.170
18               -187.876          1.531        1.80139          45.45
19                 65.157           可変
20                 67.689          1.701        1.92286          18.90
21                 37.526          8.440        1.58267          46.42
22               -232.367          0.170
23                   ∞            5.102
24                190.499          5.102        1.84666          23.78
25                -81.096          0.170
26                -88.216          1.531        1.80400          46.57
27                 42.496          8.578
28                -64.567          1.361        1.69680          55.53
29                131.560          5.612
30                161.565          5.770        1.72342          37.95
31               -139.595          0.170
32                 94.408          9.354        1.51633          64.14
33                -86.751
像面                 ∞
各種データ
無限遠         近距離
ｆ               499.265        325.022
ＦＮＯ．           4.059          2.630
２ω（画角）       2.6
ＩＨ              11.15          11.15
ＦＢ              66.633         66.633
全長             337.887        337.887
d15               10.204         51.386
d19               42.631          1.449
【０３５２】
数値実施例７
単位  ｍｍ
面データ
面番号               r              d             nd              νd
1                 210.940          7.500        1.49700          81.54
2                -594.912          0.300
3                  84.134         12.000        1.49700          81.54
4                -376.138          0.500
5                -435.916          3.500        1.88300          40.76
6                 571.205         43.110
7                  54.718          2.500        1.84020          33.38
8                  35.511          9.240        1.49700          81.54
9                 113.892          7.000
10（絞り）           ∞            3.500
11                204.348          5.980        1.80810          22.76
12               -112.102          2.570        1.88300          40.76
13                 50.433         15.000
14                 55.276          5.390        1.49700          81.54
15               -447.250           可変
16                 80.000          2.000        1.54711          53.00
17                 32.225          4.000        1.85818          27.52
18                 36.616          5.209
19               -570.008          1.000        1.49700          81.55
20                 34.412           可変  
21                 77.042          4.500        1.49700          81.55
22                -77.403
像面                 ∞
各種データ
無限遠         近距離
ｆ               293.998        241.182
ＦＮＯ．           3.735          3.055
２ω（画角）       4.3
ＩＨ              11.15          11.15
ＦＢ              34.733         34.733
全長             223.5778       223.5778
d15                2.000         27.373
d20               52.046         26.671
【０３５３】
以上の実施例１〜７の収差図を、それぞれ図５〜図１１に示す。各図中、”ＦＩＹ”は最大像高を示す。
【０３５４】
これらの収差図において、（ａ）、（ｂ）、（ｃ）、（ｄ）は、それぞれ、無限遠物体合焦時における球面収差（ＳＡ）、非点収差（ＡＳ）、歪曲収差（ＤＴ）、倍率色収差（ＣＣ）を示している。
【０３５５】
また、（ｅ）、（ｆ）、（ｇ）、（ｈ）は、それぞれ、近距離物体合焦時における球面収差（ＳＡ）、非点収差（ＡＳ）、歪曲収差（ＤＴ）、倍率色収差（ＣＣ）を示している。
【０３５６】
次に、各実施例における条件式（１）〜（２２）の値を掲げる。なお、ハイフン（−）は、該当する構成がないことか、条件式を満足しないことを示している。
条件式                        実施例１   実施例２   実施例３
(1)|ffo/f|                       0.19       0.16       0.15
(2)fG2/f                        -0.5       -0.7       -1.03
(3)fR2/f                          0.28       0.16       0.20
0.10       0.48       0.09
(4)νdFp                         81.54      81.54      94.93
94.93      81.54      94.93
(5)fG2/ffo                        2.67       4.38       7.01
(7)|fG1/fG2|                      0.64       0.61       0.36
(9)fFA/ffo                       -2.35      -3.46      -2.87
(10)fFF/ffo                      -2.35      -3.46      -2.87
(11)DG1/fG1                       0.69       0.51       0.63
(12)DG112/fG1                     0.24       0.18       0.24
(13)νG2nMAX                     44.2       34.97      52.32
(14)νG2nMAX-νG2pMIN            16.69      11.19      24.02
(15)|MGISback×(MGIS-1)|         2          1.449      2.06
(16)|(MGfoback)2×{(MGfo)2-1}|    4.49       3.284      5.0659
(17)MGG2                          1.38       1.28       1.15
(18)DG1img/f                      0.68       0.78       0.69
(19)|f/rG2b|                      0.24       2.14       1.59
(20)Φfo/ΦLa                     0.82       0.83       0.76
(21)Dsfo/DLTL                     0.030      0.026      0.059
(22)Dsfo/φs                      0.25       0.25       0.47
条件式                        実施例４   実施例５   実施例６   実施例７
(1)|ffo/f|                       0.17       0.21       0.19       0.16
(2)fG2/f                        -0.69      -0.87      -0.50      -0.24
(3)fR2/f                          0.24       0.37       0.28       0.27
0.11        -         0.10        -
(4)νdFp                         94.93      94.93      94.93      81.54
94.93      81.54      81.54        -
(5)fG2/ffo                        4.17       4.09       2.67       1.52
(7)|fG1/fG2|                      0.67       0.42       0.64       1.66
(9)fFA/ffo                       -2.67      -1.91      -2.35      -3.26
(10)fFF/ffo                      -3.89      -2.19      -2.35      -6.47
(11)DG1/fG1                       0.58       0.46       0.69       0.66
(12)DG112/fG1                     0.23       0.17       0.24       0.36
(13)νG2nMAX                     49.6       39.68      44.2       40.76
(14)νG2nMAX-νG2pMIN           -45.33      11.89      16.69      18.00
(15)|MGISback×(MGIS-1)|         2.01        -         1.996       -
(16)|(MGfoback)2×{(MGfo)2-1}|    4.603      4.851      4.49       3.36
(17)MGG2                          1.39       2.56       1.27       1.38
(18)DG1img/f                      0.78       0.68       0.68       0.76
(19)|f/rG2b|                      1.07       0.95       0.24       0.66
(20)Φfo/ΦLa                     0.90       1.05       1.10       0.86
(21)Dsfo/DLTL                     0.037      0.081      0.030      0.154
(22)Dsfo/φs                      0.34       0.52       0.25       0.96
【０３５７】
図１２は、電子撮像装置としての一眼ミラーレスカメラの断面図である。図１２において、一眼ミラーレスカメラ１の鏡筒内には撮影レンズ系２が配置される。マウント部３は、撮影レンズ系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０３５８】
そして、一眼ミラーレスカメラ１の撮影レンズ系２として、例えば上記実施例１〜７に示した本発明の単焦点距離レンズ系が用いられる。
【０３５９】
図１３、図１４は、本発明に係る撮像装置の構成の概念図を示す。図１３は撮像装置としてのデジタルカメラ４０の外観を示す前方斜視図、図１４は同後方斜視図である。このデジタルカメラ４０の撮影光学系４１に、本発明の単焦点距離レンズ系が用いられている。
【０３６０】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の単焦点距離レンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０３６１】
図１５は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０３６２】
図１５に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３６３】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３６４】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３６５】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３６６】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３６７】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３６８】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３６９】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３７０】
このように構成されたデジタルカメラ４０は、撮影光学系４１として本発明の単焦点距離レンズ系を採用することで、光学系全体の重量の軽量化とフォーカススピードを上げることが可能になるため、機動性に優れると共に、解像度の高い撮影が行える。なお、本発明の単焦点距離レンズ系は、クイックリターンミラーを持つタイプの撮像装置にも用いることができる。
【産業上の利用可能性】
【０３７１】
以上のように、本発明に係る単焦点距離レンズ系では、光学系の全長の短縮と合焦レンズ群の軽量化が可能になるので、光学系全体の重量の軽量化が実現できる。また、合焦レンズ群の軽量化により、フォーカスユニットの小型化や軽量化が可能になり、これによりフォーカススピードの高速化が容易になる。このようなことから、本発明係る単焦点距離レンズ系は、機動性に優れると共に、収差が良好に補正された単焦点距離レンズ系に適している。特に、本発明に係る単焦点距離レンズ系は、望遠レンズ・超望遠レンズに有用である。また、本発明に係る撮像装置は、機動性に優れると共に、解像度の高い撮影が行える撮像装置に適している。
【符号の説明】
【０３７２】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｇ７…第７レンズ群
Ｓ…明るさ（開口）絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2015108811.tif 000003
【図２】
2015108811.tif 000004
【図３】
2015108811.tif 000005
【図４】
2015108811.tif 000006
【図５】
2015108811.tif 000007
【図６】
2015108811.tif 000008
【図７】
2015108811.tif 000009
【図８】
2015108811.tif 000010
【図９】
2015108811.tif 000011
【図１０】
2015108811.tif 000012
【図１１】
2015108811.tif 000013
【図１２】
2015108811.tif 000014
【図１３】
2015108811.tif 000015
【図１４】
2015108811.tif 000016
【図１５】
2015108811.tif 000017